(57)【特許請求の範囲】
【請求項１】
光ディスクに所望のデータを記録再生する光ディスク装置において、
前記光ディスクは、
光透過層が厚さ１０〜１７７〔μｍ〕により形成され、
開口が形成されてなるカートリッジに収納されて保持され、
前記カートリッジは、
前記開口を塞いで、移動により前記開口を露出させるシャッターと、
前記シャッターの移動を制限する第２のストッパーと、
前記第２のストッパーによる前記シャッターの移動の制限を解除する第２のストッパーに係るボタンと、
前記第２のストッパーに係るボタンによる前記シャッターに対する制限解除を制限する第１のストッパーと、
前記第１のストッパーによる制限を解除する第１のストッパーに係るボタンとが設けられ、
前記光ディスク装置は、
波長６８０〔ｎｍ〕以下のレーザービームを出射する半導体レーザーと、
開口数ＮＡが０．７以上であって、前記光透過層を介して前記光ディスクに前記レーザービームを照射して戻り光を受光する光学系と、
前記戻り光を受光して再生信号を出力する受光素子と、
前記半導体レーザーの駆動により前記光ディスクに所望のデータを記録し、前記再生信号を信号処理して前記光ディスクに記録されたデータを再生する信号処理系とを備え、
前記カートリッジの装填により、前記第１及び第２のストッパーに係るボタンを押圧し、前記シャッターを移動さて前記開口を露出させ、前記レーザービームを前記光ディスクに照射可能とする
ことを特徴とする光ディスク装置。
【発明の詳細な説明】
【０００１】
【発明の属する技術分野】
本発明は、光ディスク装置に関し、例えばビデオ信号及びオーディオ信号をデータ圧縮して記録する光ディスク装置に適用することができる。本発明は、ワーキングディスタンス約５６０〔μｍ〕、開口数０．７以上の光学系により、波長６８０〔ｎｍ〕以下のレーザービームを厚さ１０〜１７７〔μｍ〕の光透過層を介して照射して光ディスクをアクセスするにつき、ほぼ同一の大きさの光ディスクの光学系とほぼ同一のビーム径により光学系にレーザービームを入射して光ディスクに照射することにより、光ディスク装置に特有の機能を有効に活用できる程度で、かつビデオテープレコーダと同等の使い勝手を得ることができる程度の記録容量を確保できるようにする。
【０００２】
【従来の技術】
従来、高密度に情報を記録する光ディスク装置として、ＤＶＤ（Ｄｉｇｉｔａｌ  Ｖｅｒｓａｔｉｌｅ  Ｄｉｓｃ）が提案されている。このＤＶＤは、波長６５０〔ｎｍ〕のレーザービームを開口数０．６の光学系により光ディスクに照射して、片面で２．６〔ＧＢ〕のデータを記録できるようになされ、これにより片面で約１時間のビデオ信号を記録することができるようになされている。
【０００３】
このＤＶＤは、ＣＤ（Ｃｏｍｐａｃｔ  Ｄｉｓｃ）と同一の形状、大きさにより形成され、これによりＣＤの手軽さ、使い勝手に慣れ親しんだユーザーに対して違和感無く受け入れられることができるようになされている。
【０００４】
また光ディスク装置に特有のアクセス機能を有効に利用して、動作モードの切り換えを高速度で実行できると考えられ、さらにはトリックプレイ、編集等の作業を簡易に実行できると考えられている。
【０００５】
【発明が解決しようとする課題】
ところで家庭用のビデオテープレコーダにおいては、基本の録画時間が２時間でなることにより、ビデオテープレコーダと同様の使い勝手を確保する為には、さらに多くの容量を記録可能にする必要がある。また光ディスクの特徴であるランダムアクセス機能等を有効に利用して編集等の処理を可能にするためには、映像信号を３時間程度記録することが必要になる。この場合ＤＶＤシステムを参考にすれば８〔ＧＢ〕程度のデータを記録可能に設定する必要がある。
【０００６】
本発明は以上の点を考慮してなされたもので、光ディスク装置に特有の機能を有効に活用できる程度で、かつビデオテープレコーダと同等の使い勝手を得ることができる程度の記録容量を確保することができる光ディスク装置を提案しようとするものである。
【０００７】
【課題を解決するための手段】
かかる課題を解決するため請求項１の発明においては、コンパクトディスクと直径が等しく、開口数ＮＡが０．６の光学系を使用した波長６５０〔ｎｍ〕のレーザービームの照射により所望のデータが記録される所定の光ディスクと同一の大きさであって、該光ディスクに記録されるデータ量より３倍以上のデータ量を記録可能な光ディスクをアクセスして、所望のデータを記録再生する光ディスク装置に適用する。この請求項１の発明は、波長６８０〔ｎｍ〕以下のレーザービームを出射する半導体レーザーと、先の３倍以上のデータ量を記録可能な光ディスクに対してワーキングディスタンスがほぼ５６０〔μｍ〕に設定され、かつ開口数ＮＡが０．７以上であって、先の所定の光ディスクにおける光学系に入射されるビーム径とほぼ等しいビーム径により半導体レーザーより入射されるレーザービームを、先の３倍以上のデータ量を記録可能な光ディスクの情報記録面に、この情報記録面上に形成された厚さ１０〜１７７〔μｍ〕の光透過層を介して照射すると共に、戻り光を受光する光学系と、この光学系で受光した戻り光を受光して再生信号を出力する受光素子と、半導体レーザーを駆動して所望のデータを先の３倍以上のデータ量を記録可能な光ディスクに記録し、再生信号を信号処理して先の３倍以上のデータ量を記録可能な光ディスクに記録されたデータを再生する信号処理系とを備えるようにする。
【０００８】
請求項１の構成によれば、ワーキングディスタンス約５６０〔μｍ〕、開口数０．７以上の光学系により、波長６８０〔ｎｍ〕以下のレーザービームを照射して光ディスクをアクセスすることにより、光ディスクへの光学系の衝突等を実用上十分に防止して光ディスクに高密度にデータを記録し、また高密度記録したデータを再生することができる。このときこの光学系においては、先の所定の光ディスクにおける光学系に入射されるビーム径ととほぼ同一のビーム径により光学系にレーザービームを入射して光ディスクに照射することにより、このような高開口数の光学系を実用限界により構成することができ、また厚さ１０〜１７７〔μｍ〕の光透過層を介してレーザービームを照射することによりスキュー等にあっても実用限界を確保することができる。これらにより光ディスク装置に特有の機能を有効に活用できる程度で、かつビデオテープレコーダと同等の使い勝手を得ることができる程度の記録容量を確保することができる。
【０００９】
【発明の実施の形態】
以下、適宜図面を参照しながら本発明の実施の形態を詳述する。
【００１０】
（１）第１の実施の形態
（１−１）第１の実施の形態の構成
図２は、本発明の第１の実施の形態に係るマスタリング装置を示すブロック図である。この実施の形態に係る光ディスクの製造工程では、このマスタリング装置１によりディスク原盤２を露光し、このディスク原盤２より光ディスクを製造する。
【００１１】
ここでマスタリング装置１において、ディスク原盤２は、例えばガラス基板の表面にレジストを塗布して形成され、スピンドルモータ３により角速度一定の条件で回転駆動される。
【００１２】
光ヘッド４は、所定のスレッド機構により、このディスク原盤２の回転に同期して、ディスク原盤２の内周側より順次外周側に変位しながら、ディスク原盤２にレーザービームＬを照射する。これにより光ヘッド４は、ディスク原盤２の内周側より外周側に、ラセン状にトラックを形成する。このとき光ヘッド４は、ディスク原盤２が１回転する周期で、約１．０〔μｍ〕だけ変位するようにスレッド機構により制御され、いわゆるランドグルーブ記録による場合、トラックピッチ０．５〔μｍ〕によりトラックを形成するようになされている。なおこのランドグルーブ記録による場合のトラックピッチは、ＤＶＤにおけるトラックピッチ０．７４〔μｍ〕の１．４８倍である。
【００１３】
これによりマスタリング装置１では、このディスク原盤２により作成した光ディスクに対して線記録密度、約０．２１〔μｍ／ｂｉｔ〕により所望のデータを記録して、次式の関係式より、この光ディスクに容量８〔ＧＢ〕以上のデータを記録できるようになされている。
【００１４】
【数１】
0003580362.tif 000002
【００１５】
なおここで数字４．７は、ＤＶＤの記録容量〔ＧＢ〕であり、数字０．７４及び数字０．２６７は、ＤＶＤのトラックピッチ〔μｍ〕及び線記録密度〔μｍ／ｂｉｔ〕である。従って（１）式においては、ＤＶＤと同一のデータ処理による記録容量を示していることになる。
【００１６】
さらにこのとき光ヘッド４は、このディスク原盤２より光ディスクを作成した際に、このレーザービームＬの露光により形成されるグルーブと、隣接するグルーブ間のランドの幅とがほぼ等しくなるように、レーザービームＬのスポット径が設定される。なおここでは、最終目標でなるグルーブの幅に対して、レーザービームによる実効的な露光範囲が１２０〔％〕程度増大するように、レーザービームのスポット形状、光量が設定される。これにより光ヘッド４は、このディスク原盤２により作成される光ディスクがランドグルーブ記録可能に、ディスク原盤２を露光する。
【００１７】
さらに光ヘッド４は、光学系がディスク原盤２の半径方向に可動するように構成される。
【００１８】
駆動回路５は、駆動信号ＳＤに応じて光ヘッド４を駆動する。このとき駆動回路５は、ディスク原盤２の回転に同期したタイミングにより、レーザービーム照射位置に応じて、光ヘッド４の駆動の条件を切り換え、これにより図３に示すように、ディスク原盤２をゾーニングする。なおこの図３においては、グルーブ及びピットの記載を簡略化して示す。
【００１９】
すなわちこのマスタリング装置１では、コンパクトディスクと等しい直径１２０〔ｍｍ〕の光ディスクにおいて、半径２４〔ｍｍ〕〜５８〔ｍｍ〕の領域を情報記録面に設定するように、ディスク原盤２に順次トラックを形成する。このとき駆動回路５は、この情報記録面を放射状の領域に分割してセクタ構造を形成するように、光ヘッド４の駆動条件を切り換える。さらにこの切り換えのタイミングを内周側より外周側に順次段階的に変化させることにより、情報記録面を同心円状に分割して１４のゾーンＺ０〜Ｚｎを形成する。
【００２０】
これにより駆動回路５は、最内周のゾーンＺ０においては、１トラックに９個のセクタを形成し、順次外周側のゾーンＺ１、……に変位するに従って、１トラックのセクタ数を１づつ増大する。
【００２１】
各セクタは、矢印Ａ及びＢによりセクタの境界を拡大して示すように、先頭がアドレスエリアＡＲ２に割り当てられ、続く残りの領域ＡＲ１がユーザーエリアに割り当てられる。駆動回路５は、図示しないシステム制御回路の制御により、このユーザーエリアＡＲ１においては、駆動信号ＳＤによりレーザービーム照射位置を変位させ、これによりこのユーザーエリアＡＲ１にグルーブを蛇行させて形成する。
【００２２】
またアドレスエリアＡＲ２においては、このアドレスエリアＡＲ２の前半部分で、レーザービーム照射位置の変位を中止し、駆動信号ＳＤによりレーザービームの光量を間欠的に立ち上げ、これによりグルーブによるトラックセンター上にピット列を形成する。またアドレスエリアＡＲ２の後半部分で、レーザービーム照射位置を内周側のランドによるトラックセンター上に変位させ、駆動信号ＳＤによりレーザービームの光量を間欠的に立ち上げ、これによりランドによるトラックセンター上にピット列を形成する。
【００２３】
これにより駆動回路５は、アドレスエリアＡＲ２の前半側には、続くグルーブによるセクタのアドレスデータを対応するトラックセンター上にピット列により記録し、アドレスエリアＡＲ２の後半側には、続く内周側のランドによるセクタのアドレスデータを対応するトラックセンター上にピット列により記録するようになされている。
【００２４】
このとき駆動回路５は、このディスク原盤２より光ディスクを作成した際に、波長６５０〔ｎｍ〕のレーザービームに対して、ピット及びグルーブの深さが１／６〜１／５波長になるように、レーザービーム照射時の光量を設定する。なおグルーブについては、振幅が１５〜３０〔ｎｍ〕になるように形成される。
【００２５】
ウォウブル信号発生回路７は、ディスク原盤２の回転に同期した所定周波数の正弦波信号をウォウブル信号ＷＢとして出力する。このときウォウブル信号発生回路７は、図３について上述したゾーニングに対応して、ウォウブル信号ＷＢの周波数を順次段階的に増大して出力する。これによりウォウブル信号発生回路７は、このウォウブル信号ＷＢによりレーザービーム照射位置を変位させて、１セクタ当たり３９７周期だけグルーブを蛇行させる。
【００２６】
これによりアドレスエリア（ヘッダエリア）ＡＲ２においては、グルーブの５周期に相当する長さが割り当てられ、最内周のゾーンＺ０のトラックでは、グルーブが３５７３周期蛇行するように形成され、外周側のゾーンに移るに従って、順次グルーブの蛇行が１トラック当たり３９７周期増大するように形成される。なおこの実施の形態では、このグルーブの蛇行の１周期に対して、２５バイトのデータがユーザーエリアＡＲ１に割り当てられ、この１周期が約４２〔μｍ〕の長さにより形成される。
【００２７】
アドレス信号生成回路６は、システム制御回路の制御により光ヘッド４の変位に応じて順次値の変化するアドレス信号ＳＡを生成して出力する。すなわちアドレス信号生成回路６は、ディスク原盤２の回転に同期したタイミング信号（ＦＧ信号等でなる）をスピンドルモータ３等より受け、このタイミング信号を所定のカウンタによりカウントする。これによりアドレス信号生成回路６は、図４に示すように、レーザービーム照射位置のアドレスデータＩＤを生成する（図４（Ａ）、（Ｃ１）及び（Ｃ２））。なおこの図４に示す数字は、各データのバイト数である。
【００２８】
アドレス信号生成回路６は、このアドレスデータＩＤに対してセクタマークＳＭ、同期用のタイミングデータＶＦＯ、アドレスマークＡＭ、ポストアンブルＰＡを付加して、それぞれアドレスエリアＡＲ２の前半部分及び後半部分に割り当てるセクタヘッダを生成する（図４（Ｂ）、（Ｃ１）及び（Ｃ２））。なおここでアドレス信号生成回路６は、各セクタヘッダを６２バイトにより形成し、アドレスエリアＡＲ２に記録するデータを８Ｋバイトにより形成する。セクタマークＳＭは、セクタヘッダの開始を示すために設定され、４バイトが割り当てられる。同期用のタイミングデータＶＦＯは、光ディスク装置におけるＰＬＬ回路のロックのために配置され、それぞれ先頭側より２６バイト及び１６バイトが割り当てられる。
【００２９】
アドレスマークＡＭは、アドレスの同期信号であり、１バイトが割り当てられる。アドレスデータＩＤは、６バイトであり、内２バイトが誤り検出符号である。アドレスデータＩＤは、同一のデータが繰り返し２回記録され、その分信頼性を向上するようになされている。ポストアンブルＰＡは、信号の極性を設定するために配置され、１バイトが割り当てられる。
【００３０】
アドレス信号生成回路６は、このようにして生成したセクタヘッダを、シリアルデータ列に変換し、このシルアルデータ列を所定フォーマットにより変調する。さらにアドレス信号生成回路６は、この被変調信号をアドレス信号ＳＡとして出力する。このときアドレス信号生成回路６は、このアドレス信号ＳＡをレーザービームＬの走査に対応するタイミングにより出力する。
【００３１】
合成回路８は、このウォウブル信号ＷＢと、アドレス信号ＳＡとを合成して、光ヘッド４の光学系を変位される変位信号と、レーザービームの光量を制御する光量制御信号とでなる駆動信号ＳＤを生成し、この駆動信号ＳＤを駆動回路５に出力する。
【００３２】
これによりこのディスク原盤２より作成される光ディスクは、情報記録面が同心円状に分割されて、内周側より外周側のゾーンに向かってセクタ数が順次増大するようにプリフォーマットされて形成される。さらに各セクタの先頭には、アドレスエリアＡＲ２が形成され、続くグルーブによるセクタのアドレスと、続くランドによるセクタのアドレスとがこのアドレスエリアＡＲ２に記録され、続くユーザーエリアＡＲ１に所望のデータが記録されることになる。
【００３３】
このユーザーエリアＡＲ１に対して（図４（Ｂ））、この実施の形態では、ギャップ０．５バイト及び８バイトを間に挟んで、２４バイトのガード、２５バイトのＶＦＯ、２バイトの同期バイト、９６７２バイトのユーザーデータ、１バイトのポストアンブル（ＰＡ）、５２バイトのガード、１６バイトのバッファが順次割り当てられるようになされている。
【００３４】
なおここでギャップは、ランドグルーブの切り換え領域及びレーザービーム光量の切り換え領域であり、ガードは、記録メディアとして相変化メディアを用いた場合に、オーバーライトによる記録材料の流動性を抑え、記録エリアのオーバーライトサイクルを向上させるために配置される。同期バイトは、光ディスク装置におけるＰＬＬ回路のロックのために配置され、ポストアンブルは、極性設定のために配置され、バッファは、偏心等によるジッタを吸収する記録エリアの冗長エリアである。
【００３５】
図５は、このディスク原盤２より作成される光ディスクを示す斜視図と、グルーブの部分で断面を取って示す断面図である。この光ディスクは、全体が１．２〔ｍｍ〕の板厚により形成され、相変化型の光ディスクにおいては、ディスク基板上に、アルミニウム膜、ＺｎＳ−ＳｉＯ２  膜、ＧｅＳｂＴｅ膜、ＺｎＳ−ＳｉＯ２  膜が順次形成されて情報記録面が作成される。また光磁気ディスクにおいては、ディスク基板上に、アルミニウム膜、ＳｉＮ膜、ＴｂＦｅＣｏ膜、ＳｉＮ膜が順次形成されて情報記録面が作成され、追記型の場合、ディスク基板上に、アルミニウム又は金のスパッタ膜、所定の有機色素膜が順次形成されて情報記録面が作成される。
【００３６】
さらにこの情報記録面の上に、レーザービームを透過してこのレーザービームを情報記録面に導く光透過面が約０．１〔ｍｍ〕の厚さで形成される。これによりこの実施の形態に係る光ディスクは、光透過面を介して高開口数の光学系よりレーザービームを照射しても、スキューの影響を有効に回避してこの情報記録面に所望のデータを確実に記録再生できるようになされている。
【００３７】
なおこの光ディスクは、直径が１２０〔ｍｍ〕により形成され、半径２４〔ｍｍ〕〜５８〔ｍｍ〕の領域が記録領域に割り当てられるようになされている。
【００３８】
さらに光ディスクは、光ディスクの種類を識別できるように形成された所定のカートリッジに収納されて保存され、またこのカートリッジごと光ディスク装置に装填できるように形成され、これにより高開口数の光学系によりアクセスする場合でも、塵等の影響を有効に回避できるようになされている。
【００３９】
これらにより光ディスクは、相変化型の光ディスクにおいては、レーザービームの照射により情報記録面の結晶構造を局所的に変化させて所望のデータを記録できるように形成され、また戻り光の光量変化を検出して記録したデータを再生できるように形成される。
【００４０】
また光磁気ディスクにおいては、レーザービーム照射位置に磁界を印加して所望のデータを熱磁気記録できるように形成され、また戻り光の偏光面を検出することにより磁気カー効果を利用して記録したデータを再生できるように形成される。さらに追記型の場合、レーザービームの照射により情報記録面を局所的に破壊して所望のデータを記録できるように形成され、また戻り光の光量変化を検出して記録したデータを再生できるように形成される。
【００４１】
これらの場合に光ディスクにおいては、各ゾーンにおいて、角速度一定の条件によりディスク原盤２を回転駆動して、順次段階的にウォウブル信号の周波数が切り換えられ、このウォウブル信号ＷＢによりグルーブが形成されることになる。これにより光ディスクは、ゾーニングされて、各ゾーン内において、光ディスクの回転角度に換算したグルーブの蛇行周期が一定に形成される。
【００４２】
さらにこの実施の形態において、光ディスクは、情報記録面が片面にのみに形成されたものと、情報記録面が両面に形成されたものとの２種類が製造され、この両面に情報記録面が形成された光ディスクは、ディスク基板を薄く形成した光ディスクを貼り合わせて、厚さが１．２〔ｍｍ〕、各光透過層の厚さが０．１〔ｍｍ〕により形成されるようになされている。
【００４３】
図６は、このようにして製造された光ディスクをアクセスする光ディスク装置について、ウォウブル信号の処理系を中心に示すブロック図である。この光ディスク装置１０においては、光ヘッド１１より光ディスク１２にレーザービームを照射し、その戻り光を受光する。
【００４４】
すなわち図７に示すように、光ヘッド１１において、半導体レーザー１３は、所定の駆動信号ＳＬにより駆動されて、波長６５０〔ｎｍ〕のレーザービームを射出する。このとき半導体レーザー１３は、再生時においては、一定の光量によりレーザービームを射出する。これに対して記録時においては、間欠的に光量を立ち上げてレーザービームを射出し、この実施の形態では、このレーザービームの光量の立ち上げにより、光ディスク１２の情報記録装置にピット又はマークを形成できるようになされている。
【００４５】
続くコリメータレンズ１４は、半導体レーザー１３より射出されたレーザービームを平行光線に変換し、続く整形レンズ１５は、このレーザービームの非点収差を補正し、ビームスプリッタ１６を透過させて対物レンズ１７に出射する。
【００４６】
対物レンズ１７は、このレーザービームを光ディスク１２の情報記録面に集光し、その戻り光を受光する。これにより光ディスク装置１０では、光ディスク１２が再生専用の光ディスクの場合、この戻り光の光量の変化に応じて光ディスク１２に記録されたデータを再生できるようになされている。また光ディスク１２が相変化型の光ディスクの場合、レーザービーム照射位置の結晶構造を局所的に変化させて所望のデータを記録し、また戻り光の光量変化に応じて記録したデータを再生できるようになされている。
【００４７】
さらに光ディスク１２が追記型の光ディスクの場合、レーザービーム照射位置を局所的に破壊して所望のデータを記録し、また戻り光の光量変化に応じて記録したデータを再生できるようになされている。これに対して光ディスク１２が光磁気ディスクの場合、対物レンズ１７に近接して配置した変調コイル１８を所定の駆動回路１９により駆動し、レーザービーム照射位置に所定の変調磁界を印加することにより、熱磁気記録の手法を適用して所望のデータを記録し、また戻り光の偏光面の変化を検出して記録したデータを再生できるようになされている。
【００４８】
これによりビームスプリッタ１６は、整形レンズ１５より入射するレーザービームを透過して対物レンズ１７に出射するのに対し、対物レンズ１７より入射する戻り光を反射して光路を分離し、ビームスプリッタ２０に出射する。
【００４９】
ビームスプリッタ２０は、この戻り光を透過及び反射することにより、戻り光を２条の光束に分離して出射する。
【００５０】
レンズ２１は、ビームスプリッタ２０で反射された戻り光を入射し、この戻り光を収束光束に変換する。シリンドリカルレンズ２２は、レンズ２１より出射される戻り光に非点収差を与える。光検出器２３は、このシリンドリカルレンズ２２より出射される戻り光を受光する。
【００５１】
ここで光検出器２３は、受光面を所定形状に分割し、分割した各受光面の受光結果を出力できるようになされている。これにより光検出器２３は、図示しない電流電圧変換回路により各受光面の受光結果を電流電圧変換した後、マトリックス回路により加減算処理することにより、戻り光の光量に応じて信号レベルが変化する再生信号ＲＦ、グルーブ又はピット列に対するレーザービーム照射位置の変位に応じて信号レベルが変化するプッシュプル信号ＰＰ、デフォーカス量に応じて信号レベルが変化するフォーカスエラー信号ＦＥを検出するようになされている。
【００５２】
これに対して１／２波長板２５は、ビームスプリッタ２０を透過した戻り光を入射し、この戻り光の偏光面を変化させて、後述する偏光ビームスプリッタ２７における戻り光の分離に適した偏光面により出射する。レンズ２６は、１／２波長板２５より出射する戻り光を収束光束に変換する。偏光ビームスプリッタ２７は、この戻り光を受け、所定の偏光成分を反射すると共に残りを透過し、これにより偏光面に応じて相補的に光量の変化する２条の光束に戻り光を分離する。
【００５３】
光検出器２８及び２９は、この偏光ビームスプリッタ２７により分離された２条の光束をそれぞれ受光し、受光光量に応じて信号レベルの変化する受光結果を出力する。差動アンプ３０は、電流電圧変換回路を介して、この２つの光検出器２８及び２９の受光結果を受け、その差動増幅結果を得ることにより、戻り光の偏光面に応じて信号レベルが変化する再生信号ＭＯを出力する。
【００５４】
これらにより光ヘッド１１は、各種の光ディスク１２を対象にして、所望のデータを記録し、また記録したデータを再生できるようになされている。
【００５５】
図８は、この光ヘッド１１の対物レンズ１７の周辺構成を示す断面図である。この対物レンズ１７は、第１レンズ１７Ａ及び第２レンズ１７Ｂにより構成される。ここでこの第１レンズ１７Ａ及び第２レンズ１７Ｂは、共に非球面のプラスチックレンズで形成され、所定の保持部材１７Ｃに一体に保持され、駆動アクチュエータ１７Ｄにより図面上にて上下左右に可動できるようになされている。これにより光ディスク装置１０では、第１レンズ１７Ａ及び第２レンズ１７Ｂを一体に可動してトラッキング制御及びフォーカス制御できるようになされている。
【００５６】
さらにこの第１レンズ１７Ａ及び第２レンズ１７Ｂは、レーザービームの入射側でなる第２レンズ１７Ｂが比較的大口径に形成されるのに対し、光ディスク１２側の第１レンズ１７Ａが小口径により形成され、対物レンズ１７全体として開口数が０．７８になるように各焦点距離及び間隔が設定されるようになされている。
【００５７】
これにより対物レンズ１７は、次式の関係式を満足できるようになされている。なおここでλは、レーザービームの波長であり、ＮＡは対物レンズ１７の開口数であり、ｔは、光ディスク１２の光透過層の厚さであり、Δｔは、ｔのばらつきである。またθは、光ディスク１２のスキューマージンである。
【００５８】
【数２】
0003580362.tif 000003
【００５９】
【数３】
0003580362.tif 000004
【００６０】
ここで（２）式は、光ディスクを安定にアクセス可能なスキューマージンθと光学系との関係を示すもので（特開平３−２２５６５０号公報）、現在量産されているコンパクトディスク等においては、スキューマージンθとして０．６度程度のものが市場に流通している。またＤＶＤでは、スキューマージンθは０．４度に設定されている。これによりこの実施の形態では、光ディスク１２において、光透過層の厚さを０．１〔ｍｍ〕に設定し、光学系の開口数ＮＡを大きな値に設定しても実用上充分に安定に光ディスク１２をアクセスできるようになされている。
【００６１】
また（３）式は、光学系に許容し得る光透過層の厚さｔのばらつきを示すもので、定数０．５２６は、コンパクトディスクを基準にして算出された値であり、Δｔは、コンパクトディスクで±１００〔μｍ〕、ＤＶＤでは±３０〔μｍ〕である。これによりこの光ディスク装置１０では、光透過層の厚さｔがばらついても安定に光ディスク１２をアクセスできるようになされている。
【００６２】
かくするにつき光ヘッド１１は、開口数０．７８の光学系を介して、波長６５０〔ｎｍ〕のレーザービームを光ディスク１２に照射することにより、次式の関係式を満足するようになされている。
【００６３】
【数４】
0003580362.tif 000005
【００６４】
なおここで数字４．７は、ＤＶＤの記録容量〔ＧＢ〕であり、数字０．６５及び数字０．６は、それぞれＤＶＤにおけるレーザービームの波長及び光学系の開口数である。これにより光ヘッド１１においては、ＤＶＤと同一のフォーマットによりデータ処理して約８〔ＧＢ〕の記録容量を確保できるようになされている。
【００６５】
このように形成される対物レンズ１７において、第１レンズ１７Ａは、光ディスク１２側に飛び出すように保持され、これによりこの開口数により要求されるワーキングディスタンスＷＤにより保持されるようになされている。なおこの実施の形態では、第１レンズ１７Ａ及び第２レンズ１７Ｂの特性、配置を選定して、ワーキングディスタンスＷＤは、５６０〔μｍ〕程度に設定され、これにより光ヘッド１１は、対物レンズ１７のレンズ面間の偏心許容度、面角許容度、レンズの曲率を実用上十分に量産可能な範囲に設定できるようになされ、また全体形状を小型化できるようになされ、さらには光ディスクへの衝突を有効に回避できるようになされている。
【００６６】
すなわち図９に示すように、同一ビーム径のレーザービームを入射するとして、開口数を増大すると、その分光ディスクの情報記録面に対して対物レンズを近接して配置する必要がある。なおこの図９においては、光透過層の厚さが０としてワーキングディスタンスを示す。これにより光ディスクに対して充分な間隔を確保して光ヘッドを配置しようとすると、レーザービームのビーム径を従来に比して格段的に増大させる必要がある。これに対してレーザービームのビーム径においては、ＤＶＤによる場合にほぼ等しい４．５〔ｍｍ〕程度が実用的な上限値である。
【００６７】
これに対して光ヘッドを光ディスクに近接して配置して、その分レーザービームのビーム径を小型化し、また光学系の形状を小型化する場合には、その分対物レンズの制作精度、配置精度が高精度化し、さらには光ディスクに光ヘッドが衝突する恐れもある。これによりこの実施の形態では、ワーキングディスタンスＷＤを５６０〔μｍ〕程度に設定し、これらの条件を満足する。
【００６８】
さら第１レンズ１７Ａの光ディスク１２側レンズ面が平坦に形成され、これにより確実にフォーカス制御できるように形成され、また光ディスク１２がスキューしても、光透過層の表面に衝突しないようになされている。
【００６９】
さらに対物レンズ１７は、光ディスク１２側の直径が階段状に小径化され、レーザービームを光ディスク１２に導くに十分なだけ、光ディスク１２側のレンズ面が小径に形成される。
【００７０】
変調コイル１８は、この第１レンズ１７Ａの先端側を囲むように、また光ディスク１２側の側面が第１レンズ１７Ａのレンズ面とほぼ平坦になるように配置される。これにより変調コイル１８は、第１レンズ１７Ａのレンズ面より突出しない範囲で、光ディスク１２に可能な限り近接して配置され、レーザービーム照射位置に効率良く変調磁界を印加できるようになされている。
【００７１】
さらに変調コイル１８は、この第１レンズ１７Ａを囲むように、第２レンズ１７Ｂ側に配置された放熱板１７Ｅにより温度上昇が低減され、これにより温度上昇による種々の特性変化を実用上十分な範囲に留めることができるようになされている。
【００７２】
光ディスク装置１０において（図６）、スピンドルモータ３３は、システム制御回路３４の制御により、光ディスク１２を回転駆動する。このときスピンドルモータ３３は、通常の動作モードにおいては、ＰＬＬ回路３５で生成される書き込み読み出しクロックＲ／Ｗ  ＣＫが一定周波数になるように光ディスク１２を回転駆動することにより、図１０に示すように、いわゆるＺＣＬＶ（Ｚｏｎｅ  Ｃｏｎｓｔａｎｔ  Ｌｉｎｅｒ  Ｖｅｌｏｃｉｔｙ）の手法により光ディスク１２を回転駆動する。なおここでこのＺＣＬＶによるゾーニングは、図３について説明したゾーンニングに対応する。
【００７３】
すなわちスピンドルモータ３３は、レーザービーム照射位置に応じて、順次段階的に光ディスク１２の回転速度を切り換え（図１０（Ａ））、これにより光ディスク装置１０では、内周側と外周側とで線速度及び線記録密度が大きく変化しないようにして記録密度を向上し（図１０（Ｂ）及び（Ｃ））、またアクセス速度の低下を有効に回避する。
【００７４】
これに対してアフレコ等の特殊動作モードにおいて、スピンドルモータ３３は、システム制御回路３４の制御により所定の回転速度により光ディスク１２を回転駆動する。
【００７５】
スレッドモータ３６は、システム制御回路３４の制御により光ヘッド１１を光ディスク１２の半径方向に可動し、光ディスク装置１０では、これによりシークできるようになされている。
【００７６】
アドレス検出回路３７は、光ヘッド１１より戻り光の光量に応じて信号レベルが変化する再生信号ＲＦを受け、この再生信号ＲＦを２値化する。さらに２値化した信号よりセクタヘッダに割り当てた同期信号を基準にしてアドレスデータＩＤを検出してシステム制御回路３４に出力し、またこの検出したタイミングをクラスタカウンタ３８に通知する。これにより光ディスク装置１０は、システム制御回路３４において、光ディスク１２にプリフォーマットされたこのアドレスデータＩＤに基づいてレーザービーム照射位置を特定できるようになされ、またクラスタカウンタ３８において、セクタのタイミングを確認できるようになされている。
【００７７】
さらにアドレス検出回路３７は、このアドレスデータＩＤを出力する際に、この各アドレスデータＩＤに割り当てられた誤り検出符号により誤り検出処理し、正しいと判断されるアドレスデータＩＤを選択的に出力する。
【００７８】
ウォウブル信号検出回路３９は、光ヘッド１１より出力されるプッシュプル信号ＰＰをバンドパスフィルタ３９Ａに与え、ここでウォウブル信号ＷＢを抽出する。さらにウォウブル信号検出回路３９は、続く比較回路（ＣＯＭ）３９Ｂにおいて、０レベルを基準にしてウォウブル信号ＷＢを２値化し、これによりウォウブル信号ＷＢのエッジ情報を抽出する。
【００７９】
ウォウブリング周期検出回路４０は、この２値化された２値化信号Ｓ１を受け、この２値化信号Ｓ１の各エッジのタイミングを基準にして対応するエッジのタイミングを判定することにより、正しい周期によりウォウブル信号ＷＢが変化しているか否か判定する。さらにウォウブリング周期検出回路４０は、正しい周期と判断したエッジ情報を選択的にＰＬＬ回路３５に出力する。これによりウォウブリング周期検出回路４０は、光ディスク１２に付着した塵等によって、クロックＣＫが変位しないようにする。
【００８０】
ＰＬＬ回路３５は、ウォウブリング周期検出回路４０より出力される２値化信号を位相比較回路（ＰＣ）３５Ａに与え、ここで分周器３５Ｂより出力されるクロックＣＫと位相比較する。ここで分周器３５Ｂにおいては、システム制御回路３４の設定により、分周比を切り換えて所定のクロックＣＫを出力する。
【００８１】
これによりこのＰＬＬ回路３５においては、ローパスフィルタ（ＬＰＦ）３５Ｃにより、位相比較回路３５Ａより出力される位相比較結果の低周波成分を抽出し、この低周波成分により電圧制御型発振回路（ＶＣＯ）３６Ｄの発振周波数を制御する。さらにこの電圧制御型発振回路３６Ｄの発振出力を分周器３５Ｂで分周し、これにより精度の高いクロックＣＫを生成できるようになされている。
【００８２】
このＰＬＬ回路３５において、分周器３５Ｂは、システム制御回路３４の設定により、図３について説明したゾーニングに対応するように、レーザービーム照射位置が光ディスク１２の外周側に変位するに従って分周比が順次増大するように設定される。これによりＰＬＬ回路３５は、レーザービーム照射位置が光ディスク１２の外周側に変位するに従って、順次段階的に、ウォウブル信号ＷＢの周波数に対して電圧制御型発振回路３６Ｄの発振出力の周波数が増大するようになされ、この発振出力を書き込み読み出し用クロックＲ／Ｗ  ＣＫとして出力する。
【００８３】
光ディスク装置１０においては、通常の動作モードにおいて、スピンドルモータ３３により、この書き込み読み出しクロックＲ／Ｗ  ＣＫが一定周波数になるよう光ディスク１２を回転駆動することにより、またこの書き込み読み出しクロックＲ／Ｗ  ＣＫを基準にして所望のデータを記録することにより、内周側と外周側とで線記録密度が大きく変化しないようにし、その分記録密度を増大できるようになされている。
【００８４】
クラスタカウンタ３８は、アドレス検出回路３７の検出結果を基準にして、書き込み読み出し用クロックＲ／Ｗ  ＣＫをカウントすることにより、この書き込み読み出し用クロックＲ／Ｗ  ＣＫを基準にして高い精度によりレーザービーム照射位置を特定する。さらにクラスタカウンタ３８は、カウント結果に基づいて、システム制御回路３４にクラスタスタートパルスを出力する。なおここでクラスタは、光ディスク１２に対するデータの記録再生の単位であり、クラスタスタートパルスは、このクラスタの開始のタイミングを指示するパルスである。
【００８５】
この処理においてクラスタカウンタ３８は、例えばディスク表面の塵等により、アドレス検出回路３７よりセクタ開始のタイミングが検出されない場合、書き込み読み出し用クロックＲ／Ｗ  ＣＫのカウント結果を基準にした同期処理により、クラスタスタートパルスを補間処理する。
【００８６】
システム制御回路３４は、この光ディスク装置１０全体の動作を制御するコンピュータにより構成され、順次入力されるアドレスデータＩＤに基づいて、スレッドモータ３６等の動作を制御し、また全体の動作モードを切り換えることにより、レーザービーム照射位置に応じて、さらには外部機器からの制御により、全体の動作を制御する。
【００８７】
この一連の処理においてシステム制御回路３４は、アドレスデータＩＤを基準にしたレーザービーム照射位置に応じて、メモリ４２に格納した分周比のデータにより分周器３５Ｂの分周比を切り換える。
【００８８】
これによりシステム制御回路３４は、通常の動作モードにおいて、図３について上述したゾーンＺ０、Ｚ１、……、Ｚｎ−１、Ｚｎに対応するように、内周側から外周側のゾーンに向かって、順次段階的に光ディスクの回転速度を低減して、内周側のゾーンと外周側のゾーンとで各セクタを等しい記録密度に設定する。
【００８９】
これに対してアフレコ等の特殊動作モードにおいて、２チャンネルのユーザーデータＤＵ１、ＤＵ２について、記録再生の処理を交互に繰り返す場合、また２チャンネルのユーザーデータＤＵ１、ＤＵ２を交互に光ディスク１２より再生して同時並列的に出力する場合、システム制御回路３４は、１のユーザーデータの再生の為にゾーンを切り換えても光ディスク１２の回転速度を切り換えないように、スピンドルサーボ回路の動作を制御する。
【００９０】
これによりシステム制御回路３４は、記録再生の処理を交互に繰り返す場合、再生時においては、ゾーンが切り換わっても直前の記録時における光ディスク１２の回転速度によりユーザーデータＤＵを再生する。また２チャンネルのユーザーデータＤＵ１、ＤＵ２を交互に光ディスク１２より再生して同時並列的に出力する場合、１のユーザーデータについては、他のユーザーデータの再生時における回転速度により光ディスク１２を回転駆動した状態で光ディスク１２より再生する。なおこれらの場合に、システム制御回路３４は、記録側のチャンネル、他の再生側のチャンネルについては、ＺＣＬＶの手法を適用して、それぞれ対応するゾーンについて設定された回転速度の２倍の回転速度により光ディスク１２を回転駆動してユーザーデータを記録し、また再生する。
【００９１】
かくするにつき、この種の光ディスク装置においては、光ディスクの回転速度を切り換えた場合、整定に時間を要する。これにより光ディスク装置１０では、光ディスク１２の回転速度の切り換えに要する時間を省略して、回転速度の切り換えに比して格段的に短時間のＰＬＬ回路のロックに要する待ち時間等だけで、記録再生の動作を切り換えるようになされている。
【００９２】
このときシステム制御回路３４は、記録側のチャンネル、他の再生側のチャンネルについて適用するＺＣＬＶの制御において、光ディスク１２の回転速度を通常の動作モードにおける回転速度の約２倍に設定する。これによりシステム制御回路３４は、２チャンネルのユーザーデータを処理するにつき、光ディスク１２に対して高速度に、かつ間欠的にユーザーデータＤＵを記録再生して、シーク等に、また他のチャンネルの処理に十分な時間を確保できるようになされている。
【００９３】
図１１は、このシステム制御回路３４における光ディスクの回転速度の設定処理を示すフローチャートである。システム制御回路３４は、ユーザーが動作モードを選択すると、ステップＳＰ１からステップＳＰ２に移り、ここでユーザーの選択した動作モードが、アフレコ等の上述した動作モードか否か判断し、ここで否定結果が得られるとステップＳＰ３に移る。ここでシステム制御回路３４は、スピンドルサーボ回路の動作モードをＺＣＬＶによる動作モードに設定した後、ステップＳＰ４に移ってこの処理手順を終了する。
【００９４】
これに対してユーザーの選択した動作モードがアフレコ等の上述した動作モードの場合、ステップＳＰ２において肯定結果が得られることにより、システム制御回路３４は、ステップＳＰ５に移る。ここでシステム制御回路３４は、例えば２つのチャンネルをそれぞれ記録再生する場合は、再生側のチャンネルについて、また２つのチャンネルをそれぞれ再生する場合は、何れかのチャンネルについて、回転速度の切り換えを停止する（すなわち動作モードをＣＡＶに設定する）。続いてシステム制御回路３４は、ステップＳＰ６に移り、残るチャンネルについては、上述の回転速度におけるＺＣＬＶによる動作モードをスピンドル制御に設定した後、ステップＳＰ４に移ってこの処理手順を終了する。
【００９５】
システム制御回路３４は、このように光ディスク１２の回転速度を制御した状態で、クラスタカウンタ３８より出力されるクラスタスタートパルスに従って書き込み読み出しの制御を実行することにより、各セクタに設定したアドレスエリアＡＲ２を基準にして、連続する４つのセクタに１クラスタのデータを割り当てる。これによりシステム制御回路３４は、内周側のゾーンから外周側のゾーンに向かって、順次各ゾーンに割り当てるクラスタ数を増大するようになされている。
【００９６】
さらにシステム制御回路３４は、図示しないトラッキングサーボ回路に対してトラッキングエラー信号の極性に対する対物レンズ１７の可動方向を切り換え指示し、これによりレーザービームの走査を、グルーブと、グルーブ間のランドとの間で切り換え制御する。これによりこの光ディスク装置１０では、いわゆるランド／グルーブ記録できるようになされている。
【００９７】
図１は、この光ディスク装置１０の記録再生系を示すブロック図である。この光ディスク装置１０において、ディスク弁別器５０は、例えばカートリッジに形成された凹部より光ディスク１２の種類を識別し、識別信号をシステム制御回路３４に出力する。これにより光ディスク装置１０は、装填された光ディスク１２の種類に応じて、記録再生系の動作を切り換え、各種光ディスクをアクセスできるようになされている。
【００９８】
ここでエンコーダ５１は、記録時、編集時等において、外部機器よりビデオ信号及びオーディオ信号でなる入力信号ＳＩＮを入力し、このビデオ信号及びオーディオ信号をアナログディジタル変換処理した後、ＭＰＥＧ（Ｍｏｖｉｎｇ  Ｐｉｃｔｕｒｅ  Ｅｘｐｅｒｔｓ  Ｇｒｏｕｐ）に規程のフォーマットによりデータ圧縮する。さらにエンコーダ５１は、これらデータ圧縮したビデオ信号及びオーディオ信号をパケット化し、各パケットにパケットヘッダ、コントロールデータ等を付加する。エンコーダ５１は、これらのパケットを順次出力することにより、データ圧縮したビデオ信号及びオーディオ信号を時分割多重化し、この時分割多重化したビットストリームによるユーザーデータＤＵを生成する。
【００９９】
この一連の処理において、エンコーダ５１は、最大で、２チャンネルのビデオ信号及びオーディオ信号を同時並列的に処理して、この２チャンネルのビデオ信号及びオーディオ信号に対応する２チャンネルのユーザーデータＤＵ１、ＤＵ２を同時並列的に出力可能に構成され、システム制御回路３４の制御により、必要に応じてこの２チャンネルの同時並列的な処理を実行する。
【０１００】
これに対してデコーダ５２は、エンコーダ５１とは逆に、再生時、編集時において、記録再生回路５３より出力されるユーザーデータＤＵをＭＰＥＧに規程のフォーマットによりデータ伸長してディジタルビデオ信号、ディジタルオーディオ信号を生成し、このディジタルビデオ信号及びディジタルオーディオ信号をアナログ信号ＳＯＵＴに変換して出力する。
【０１０１】
デコーダ５２は、エンコーダ５１と同様に、最大で、２チャンネルのビデオ信号及びオーディオ信号ＳＯＵＴ１、ＳＯＵＴ２について、このようなデコードの処理を同時並列的に実行できるように構成され、システム制御回路３４の制御により動作を切り換えて必要に応じてこの２チャンネルの同時並列的な処理を実行する。
【０１０２】
記録再生回路５３は、記録時、編集時、エンコーダ５１より出力されるユーザーデータＤＵをメモリ５４に蓄積すると共に、所定ブロック単位で処理して光ディスク１２に記録する。
【０１０３】
すなわち図１２に示すように、記録再生回路５３は、ユーザーデータＤＵを２０４８バイト単位で順次ブロック化し、各ブロックに１６バイトによるアドレスデータ及びエラー検出符号を付加する。記録再生回路５３は、この２０４８バイト＋１６バイトによりセクタデータブロックを形成する。アドレスデータは、このセクタデータブロックのアドレスデータである。なおユーザーデータＤＵによるセクタは、図３について上述したプリフォーマットによるセクタとは異なる。またエラー検出符号は、このアドレスデータの誤り検出符号である。
【０１０４】
さらに図１３に示すように、記録再生回路５３は、１６個のセクタデータブロックによりＥＣＣデータブロック（１８２バイト×２０８バイト）を形成する。すなわち記録再生回路５３は、図面にて、２０４８バイト＋１６バイトによる１６個のセクタデータブロックを１７２バイト単位で順次ラスタ走査の順に配列し、この横方向に、内符号でなる誤り訂正符号（ＰＩ）を生成する。さらにこの縦方向に外符号でなる誤り訂正符号（ＰＯ）を生成する。
【０１０５】
記録再生回路５３は、このＥＣＣブロックをインターリーブ処理して、図１４に示すフレーム構造を形成する。すなわち記録再生回路５３は、１８２バイト×２０８バイトのＥＣＣデータブロックの各９１バイトに対して、２バイトのフレーム同期信号（ＦＳ）を割り当て、これにより１つのＥＣＣデータブロックで４１６フレームを形成する。これにより記録再生回路５３は、この図１４に示すフレーム構造により１クラスタのデータを形成し、この１クラスタを連続する４つのセクタに割り当てる。
【０１０６】
これにより記録再生回路５３は、これらフレーム同期信号、誤り訂正符号、さらにはフレームアドレス等の冗長なデータをユーザーデータに付加して記録する際に、冗長度を２３〔％〕以下に設定し、効率良くユーザーデータを記録する。かくするにつきＤＶＤでは、この冗長度が２３〔％〕に設定されており、この実施の形態においては、ＤＶＤと等しい冗長度に設定しても、充分な記録容量を確保することができる。因みに冗長度を２３〔％〕以上に設定しても、不必要に誤り訂正能力を強化することになる。
【０１０７】
またこのＥＣＣデータブロックを３２〔ＫＢ〕のユーザーデータにより形成したことにより、誤り訂正処理における符号間間隔を十分に確保できるようになされ、その分誤り訂正能力を強化できるようになされている。またＥＣＣデータブロックを単位にして記録再生の処理を実行して、全体として簡易な処理により記録再生の処理、さらにはアフレコ等の処理を実行できるようになされている。
【０１０８】
このとき記録再生回路５３は、必要に応じて所定の固定値のデータを割り当てて、図４について上述したセクタ構造により、連続するデータを処理する。さらに記録再生回路５３は、このような配列によるデータ列を（１、７）ＲＬＬ変調した後、連続するビット間で演算処理して出力する。またこの出力の際に、書き込み読み出しクロックＲ／Ｗ  ＣＫを基準にして動作することにより、通常の動作モードにおいて、ユーザーデータＤＵに換算して１１．０８〔Ｍｂｐｓ〕のデータ転送速度により出力することにより、エンコーダ５１より入力されるユーザーデータＤＵに比して高速度の転送速度により間欠的に出力する。これにより記録再生回路５３は、間欠的にユーザーデータＤＵを記録して余る空き時間を利用して、光ヘッド１１をシークできるようになされ、このシークにより連続するユーザーデータを離散的に記録できるようになされている。
【０１０９】
さらにアフレコ等の特殊動作モードにおいては、ユーザーデータＤＵに換算して約２０〔Ｍｂｐｓ〕のデータ転送速度により変調したデータを出力し、これにより必要に応じて２チャンネルのユーザーデータＤＵ１、ＤＵ２を交互に記録できるようになされている。かくするにつき、クラスタを単位にして記録再生の動作を繰り返すことにより、光ディスク装置１０においては、光ディスク１２に記録されたデータの再生と、再生したデータを編集して記録する処理、さらにはアフレコ等の処理を実行できるようになされている。
【０１１０】
このデータ記録の際に、記録再生回路５３は、図６について上述した書き込み読み出しクロックＲ／Ｗ  ＣＫを基準にして変調したデータを出力し、またシステム制御回路３４の制御により、クラスタカウンタ３８で検出されたタイミングを基準にして変調したデータの出力を開始する。
【０１１１】
さらに記録再生回路５３は、再生時、光ヘッド１１より入力される再生信号ＲＦ、ＭＯを増幅した後、２値化して２値化信号を生成する。さらにこの２値化信号を基準にして再生信号ＲＦ、ＭＯよりクロックを再生する。かくするにつき、この再生されたクロックは、書き込み読み出しクロックＲ／Ｗ  ＣＫに対応することになる。さらにこの再生したクロックを基準にして順次２値化信号をラッチすることにより再生データを検出する。
【０１１２】
このとき記録再生回路５３は、ＰＲＭＬ（Ｐａｔｉａｌ−Ｒｅｓｐｏｎｓｅ  Ｍａｘｉｍｕｍ−Ｌｉｋｅｌｉｈｏｏｄ）の手法を適用して、この再生データを復号して復号データを生成する。さらに記録再生回路５３は、この復号データをデインターリーブ処理した後、誤り訂正処理し、デコーダ５２に出力する。
【０１１３】
かくするにつきＤＶＤにおいては、（１、７）ＲＬＬ変調したデータを最短ピット長０．４〔μｍ〕で記録するようになされており、単純に開口数により換算してＤＶＤと同一のマージンにより記録再生系を形成すると、最短ピット長０．３〔μｍ〕、線記録密度０．２３〔μｍ〕により所望のデータを記録再生することができる。これに対してＰＲＭＬにより積極的に符号間干渉を利用すれば、その分線記録密度０．２３〔μｍ〕以下により同様のマージンを確保することができる。
【０１１４】
このとき記録再生回路５３は、通常の動作モードにおいて、記録時と同様に、ユーザーデータＤＵに換算して１１．０８〔Ｍｂｐｓ〕のデータ転送速度によりクラスタを単位にして間欠的に光ディスク１２よりデータ再生し、この再生したユーザーデータＤＵをメモリ５４を介して連続的にデコーダ５２に出力する。これに対してアフレコ等の特殊動作モードにおいては、光ディスク１２の回転速度に対応した、ユーザーデータＤＵに換算して約２０〔Ｍｂｐｓ〕のデータ転送速度によりクラスタを単位にして間欠的に光ディスク１２よりデータ再生し、この再生したユーザーデータＤＵをメモリ５４を介して連続的にデコーダ５２に出力する。
【０１１５】
この一連の再生時における処理において、記録再生回路５３は、光ディスク１２が光磁気ディスクの場合、システム制御回路３４の制御により、偏光面に応じて信号レベルが変化する再生信号ＭＯを選択的に処理して、ユーザーデータＤＵを再生する。また光ディスク１２が再生専用の光ディスク、追記型、相変化型の場合、戻り光の光量変化に応じて信号レベルが変化する再生信号ＲＦを選択的に処理してユーザーデータＤＵを再生する。さらに光ディスク１２が光磁気ディスクの場合でも、内周側のリードインエリアを再生する場合、再生信号ＲＦを選択的に処理してユーザーデータＤＵを再生する。
【０１１６】
アドレス読出回路５５は、記録時、各セクタデータブロック（図１２）に付加するアドレスデータを生成して記録再生回路５３に出力し、再生時、記録再生回路５３で検出されたアドレスデータを解析してシステム制御回路３４に通知する。
【０１１７】
メモリ５４は、ユーザーデータを一時格納して保持する大容量のバッファメモリにより構成され、図示しないメモリ制御回路における書き込みポインタ、読み出しポインタによるアドレス制御により、記録領域を順次循環的に切り換えて、エンコーダ５１、デコーダ５２との間でユーザーデータＤＵを連続的に入出力し、また記録再生回路５３を介して光ディスク１２との間でクラスタを単位にしてユーザーデータＤＵを間欠的に入出力する。
【０１１８】
このときメモリ５４は、アフレコ等の特殊動作モードにおいて、２チャンネルのユーザーデータＤＵ１、ＤＵ２を同時並列的に処理する場合、図１５に示すように、これら２チャンネルのユーザーデータＤＵ１、ＤＵ２に対応して、光ディスク１２に対する入出力用のポインタＰ１Ｈ、Ｐ２Ｈ、エンコーダ５１、デコーダ５２に対する入出力用のポインタＰ１Ｏ、Ｐ２Ｏが設定され、これらポインタによるアドレス制御により、エンコーダ５１、デコーダ５２に対しては、これら２チャンネルのユーザーデータＤＵ１、ＤＵ２を同時並列的にかつ連続的に入出力し、光ディスク１２に対しては、クラスタを単位にして、ユーザーデータＤＵ１、ＤＵ２を交互に入出力する。
【０１１９】
なおこの図１５は、アフレコの場合におけるポインタの設定を示し、光ディスク１２に対する入出力用のポインタＰ１Ｈ、Ｐ２Ｈは、それぞれ光ディスク１２に対する読み出し及び書き込みのポインタＲＰｗ、ＷＰｒを示し、エンコーダ５１、デコーダ５２に対する入出力用のポインタＰ１Ｏ、Ｐ２Ｏは、それぞれエンコーダ５１からの入力用のポインタＷＰｗ、デコーダ５２に対する出力用のポインタＲＰｒを示している。
【０１２０】
かくするにつき、このメモリ５４の容量を約１０〔Ｍｂｉｔ〕に設定すれば、エンコーダ５１、デコーダ５２に対するデータ転送速度を８〔Ｍｂｐｓ〕、シークに要する時間を約２００〔ｍｓｅｃ〕として、約２秒間隔で、光ディスク１２に対して２チャンネルのユーザーデータを交互に記録、再生して、このユーザーデータによるビデオ信号及びオーディオ信号を途絶えることなく記録再生することができる。
【０１２１】
レーザー駆動回路５７は、書き込み時、光ディスク１２が光磁気ディスクの場合、システム制御回路３４の制御により、書き込み読み出しクロックＲ／Ｗ  ＣＫに同期したタイミングにより光ヘッド１１の半導体レーザーを駆動し、これによりレーザービームの光量を間欠的に立ち上げる。これにより光ディスク装置１０では、最短記録ピット４／３ｂｉｔにより最大ランレングス８Ｔ、最小ランレングス２Ｔのマーク列を形成して線記録密度０．２１〔μｍ／ｂｉｔ〕によりユーザーデータを記録する。
【０１２２】
またレーザー駆動回路５７は、書き込み時、光ディスク１２が相変化型又追記型の場合、システム制御回路３４の制御により、記録再生回路５３の出力データによりレーザービームの光量を間欠的に立ち上げ、これにより光ディスク１２にユーザーデータＤＵを記録する。これにより光ディスク装置１０では、最短記録マーク又は最短記録ピット４／３ｂｉｔにより最大ランレングス２Ｔ、最小ランレングスＴのピット列を形成して線記録密度０．２１〔μｍ／ｂｉｔ〕により、また最短ビット長０．３〔μｍ〕以下によりユーザーデータを記録する。
【０１２３】
これに対してレーザー駆動回路５７は、読み出し時、レーザービームの光量を一定の低レベルに保持する。
【０１２４】
変調コイル駆動回路５６は、光ディスク１２が光磁気ディスクの場合、システム制御回路３４の制御により記録時動作を立ち上げ、記録再生回路５３の出力データにより光ヘッド１１の変調コイルを駆動する。これにより変調コイル駆動回路５６は、間欠的に光量が立ち上がるレーザービーム照射位置に変調磁界を印加して、熱磁気記録の手法を適用して、最短記録マーク４／３ｂｉｔにより最大ランレングス８Ｔ、最小ランレングス２Ｔのマークを形成して線記録密度０．２１〔μｍ／ｂｉｔ〕により、また最短マーク長０．３〔μｍ〕以下によりユーザーデータを記録する。
【０１２５】
図１６は、通常の記録、再生時におけるシステム制御回路３４の制御を示す図表である。なお以下の説明において、図面上、符号Ｒ及びＷにより光ディスク１２に対する書き込み及び読み出しを示す。システム制御回路３４は、記録時においては、順次入力される１チャンネルのビデオ信号及びオーディオ信号ＳＩＮ（図１６（Ａ））を、エンコーダ５１によりユーザーデータＤＵに変換し、メモリ５４に順次入力する。さらに光ヘッド１１を目的のセクタまでシークしてスチルに保持した状態で、所定の記録単位のデータ量がメモリ５４に蓄積されて、メモリ５４の空き容量が所定値以下になると、クラスタを単位にして、このメモリ５４に保持したユーザーデータＤＵを光ディスク１２に記録する（図１６（Ｂ）及び（Ｃ１））。
【０１２６】
システム制御回路３４は、この光ディスク１２に対する記録の処理により、メモリ５４に保持したユーザーデータ量が所定値以下になると、光ディスク１２に対する記録を中断する。システム制御回路３４は、光ヘッド１１を続くセクタに対してスチルの状態に保持して、再び記録単位のデータ量がメモリ５４に蓄積されるのを待機し、メモリ５４にこの記録単位のデータ量が蓄積されると、再び光ディスク１２に記録する（図１６（Ｂ）及び（Ｃ２））。
【０１２７】
これによりシステム制御回路３４は、メモリ５４を介してユーザーデータＤＵを時間軸圧縮して間欠的に、かつ連続するユーザーデータＤＵを連続するセクタに割り当てて記録する。なおシステム制御回路３４は、光ディスク１２のリードインエリアに記録されたファイル管理用のデータにより判断して、連続する領域を光ディスク１２上に確保できない場合は、離散的にユーザーデータＤＵを記録し、この場合はユーザーデータＤＵを光ディスク１２に記録する際に、スチルだけでなく併せてシークの処理を実行し、また必要に応じて光ディスク１２の回転速度を切り換える。
【０１２８】
これに対してユーザーが再生の処理を選択した場合、システム制御回路３４は、目的のセクタに光ヘッド１１をシークさせた後、再生の開始を指示し、記録再生回路５３で復号されたユーザーデータＤＵをメモリ５４に格納すると共に、このメモリ５４に格納したユーザーデータＤＵを順次デコーダ５２に出力する。この状態で、メモリ５４に格納したユーザーデータＤＵのデータ量が所定の記録再生単位になり、メモリ５４の空き容量が所定値以下になると、システム制御回路３４は、光ヘッド１１を続くセクタに対してスチルに保持し、ユーザーデータＤＵの光ディスク１２からの再生を中断する。
【０１２９】
この状態でメモリ５４に保持したデータ量が所定値以下に低下すると、システム制御回路３４は、光ディスク１２の再生開始を指示する。これによりシステム制御回路３４は、光ディスク１２より間欠的にユーザーデータＤＵを再生して、連続するビデオ信号及びオーディオ信号ＳＯＵＴを途絶えることなく出力する。
【０１３０】
図１７は、ユーザーが追っかけ再生のモードを選択した場合を示す略線図である。この追っかけ再生は、例えばユーザーの指定したビデオ信号及びオーディオ信号を録画している途中で、ユーザーが録画モードを維持したまま、録画中の番組の再生を録画開始位置より指示した場合に設定される。
【０１３１】
システム制御回路３４は、図１６について説明したように１チャンネルのビデオ信号及びオーディオ信号を光ディスク１２に記録している状態で、ユーザーによりこの動作モードが選択されると、光ディスク１２の回転速度を通常の２倍の回転速度に切り換える。またこれに同期して、書き込み読み出しクロックＲ／ＷＣＫが通常２倍の周波数になるように分周器３５Ｂの分周比を設定する（図６）。これによりシステム制御回路３４は、光ディスク１２に対するデータ転送速度をそれまでのほぼ２倍に増大して、ユーザーデータＤＵを間欠的に光ディスク１２に記録する。
【０１３２】
このようにデータ転送速度を切り換えると共に、システム制御回路３４は、図１５について上述した４つのポインタの設定により、ユーザーデータＤＵを記録する間の空き時間を利用して、光ディスク１２に記録したユーザーデータを再生する（図１７（Ａ）、（Ｂ）及び（Ｃ））。すなわちシステム制御回路３４は、メモリ５４に蓄積したユーザーデータＤＵを光ディスク１２に記録してメモリ５４に蓄積した記録用のユーザーデータ量が所定値以下に低下すると、光ディスク１２に対する記録を中断し、記録開始位置に光ヘッド１１をシークさせる（図１７（Ｄ１））。
【０１３３】
続いてシステム制御回路３４は、この記録開始位置よりユーザーデータＤＵの再生を開始し（図１７（Ｄ２））、光ディスク１２より再生したユーザーデータＤＵを順次メモリ５４に格納すると共に、このメモリ５４に格納したユーザーデータＤＵをデコーダ５２に出力する。このときメモリ５４に所定量のユーザーデータＤＵを蓄積して、このメモリ５４に保持した記録側のユーザーデータ量が所定値以下になると、デコーダ５２に対するユーザーデータＤＵの出力を継続したまま、光ディスク１２からの再生を中断する。
【０１３４】
さらにシステム制御回路３４は、光ヘッド１１をシークさせ（図１７（Ｄ３））、光ディスク１２よりユーザーデータＤＵを再生している間にメモリ５４に蓄積されたユーザーデータＤＵを中断したセクタより続いて記録する（図１７（Ｄ４））。
【０１３５】
システム制御回路３４は、メモリ５４に蓄積された記録側のユーザーデータ量が所定値以上になり、光ディスク１２より再生してメモリ５４に保持したユーザーデータ量が所定値以下になると、この記録の処理を中断し、再び光ヘッド１１をシークして続くユーザーデータを再生する。
【０１３６】
これによりシステム制御回路３４は、連続するビデオ信号及びオーディオ信号を光ディスク１２に記録しながら、この光ディスク１２に記録したビデオ信号及びオーディオ信号を途切れることなく再生して出力する。
【０１３７】
このようにして２チャンネルのユーザーデータを記録再生するにつき、システム制御回路３４は、図１８に示すように、記録対象のゾーンが例えばＺｍからＺｍ＋１に切り換わると、光ディスク１２の回転速度を通常の回転速度の２倍の回転速度に保持することを前提にして、この回転速度の基準となる通常の回転速度における各ゾーンの回転速度に対応して、光ディスク１２の回転速度を切り換える（図１８（Ａ）及び（Ｂ））。これによりシステム制御回路３４は、光ディスク１２に対する記録時においては、書き込み読み出しクロックＲ／Ｗ  ＣＫを一定周波数に維持し、またこれに伴いレーザービーム照射位置の線速度もほぼ一定に保持する（図１８（Ｃ）及び（Ｄ））。
【０１３８】
これに対して再生時においては、光ディスク１２の回転速度の切り換えを中断し、直前の記録時における回転速度に維持したまま、光ディスク１２を再生する。この場合、記録再生回路５３において、この光ディスク１２の回転速度に対応する周波数により再生クロックが得られ、この再生クロックにより光ディスク１２より得られる再生データが処理されることになる。またこの再生クロックは、ＰＬＬ回路３５により生成される書き込み読み出しクロックＲ／Ｗ  ＣＫに対応することから、この場合書き込み読み出しクロックＲ／Ｗ  ＣＫの周波数がレーザービーム照射位置に応じて変化することになる。
【０１３９】
これによりシステム制御回路３４は、光ディスク１２の回転速度の切り換え頻度を低減して、アクセス速度を向上するようになされている。
【０１４０】
図１９は、ユーザーがマルチチャンネルのモードを選択した場合を示す略線図である。ここでマルチチャンネルは、２チャンネルのビデオ信号及びオーディオ信号を同時に記録し、又は再生する処理である。この場合システム制御回路３４は、光ディスク１２の回転速度を通常の２倍の回転速度に設定して、２チャンネルのビデオ信号及びオーディオ信号を記録し、又は再生する。
【０１４１】
システム制御回路３４は、ユーザーがマルチチャンネルの記録モードを選択した場合、エンコーダ５１により２チャンネルのビデオ信号及びオーディオ信号を処理して、２チャンネルの連続するユーザーデータＤＵ１、ＤＵ２を生成し、このユーザーデータＤＵ１、ＤＵ２をメモリ５４に順次入力する（図１９（Ａ）及び（Ｂ））。
【０１４２】
さらにシステム制御回路３４は、図１５について上述した４つのポインタの設定により、所定の記録開始位置に光ヘッド１１をシークさせて待機させた状態で（図１９（Ｃ）及び（Ｄ１））、何れかのユーザーデータＤＵ１又はＤＵ２がメモリ５４に所定量だけ蓄積されると、このユーザーデータＤＵ１又はＤＵ２について光ディスク１２への記録を開始する（図１９（Ｄ２））。これによりこの記録を開始したユーザーデータについて、メモリ５４におけるデータ量が所定値以下になると、光ディスク１２への記録を中断する。さらにシステム制御回路３４は、他のチャンネルの記録開始位置に光ヘッド１１をシークさせて待機し（図１９（Ｄ３））、この他のチャンネルについてメモリ５４に保持したユーザーデータＤＵを同様に記録する（図１９（Ｄ４））。
【０１４３】
システム制御回路３４は、この一連の処理を交互に繰り返し、これにより連続する２チャンネルのユーザーデータをメモリ５４に入力しながら、交互に光ディスク１２に記録する。このときシステム制御回路３４は、予めユーザーの入力等に従ってこの２つのビデオ信号及びオーディオ信号の録画時間を把握し、各チャンネルに予め連続する領域を確保して光ヘッド１１をシークさせる。
【０１４４】
これに対してユーザーがマルチチャンネルにおける再生のモードを選択した場合、システム制御回路３４は、記録時と同様に、光ヘッド１１をシークさせ、また光ディスク１２に対するアクセスを制御し、これにより間欠的に光ディスク１２より２チャンネルのユーザーデータを再生してメモリ５４に保持し、またこのメモリ５４に保持した２チャンネルのユーザーデータを連続的にデコーダ５２によりデコードして出力する。
【０１４５】
なおシステム制御回路３４は、このマルチチャンネルの再生モードにおいても、１方のチャンネルについては、光ディスク１２の回転速度を他方のチャンネルにおける回転速度に維持し、これにより光ディスク１２の回転速度の切り換え頻度を低減してアクセス速度を向上する。
【０１４６】
図２０は、ユーザーがアフレコのモードを選択した場合を示す略線図である。この場合光ディスク装置１０においては、図２１に示すように、順次再生したビデオ信号及びオーディオ信号（図２０（Ａ））が外部のモニタ、スピーカによりモニタさせ、またマイク等により入力されるオーディオ信号等が再生したビデオ信号、オーディオ信号とミキシングされて順次入力されることになる（図２０（Ｂ））。
【０１４７】
システム制御回路３４は、光ディスク１２に対するデータ転送速度及び光ディスク１２の回転速度を通常モードの２倍に設定する。この状態でユーザーの選択した番組の再生開始位置に光ヘッド１１をシークさせ（図２０（Ｃ）及び（Ｄ１））、この位置よりユーザーデータＤＵの再生を開始する。さらに再生したユーザーデータをメモリ５４に格納すると共に、格納したユーザーデータをデコーダ５２を介して出力する（図２０（Ｄ２））。この状態でメモリ５４に所定量だけユーザーデータが蓄積されると、システム制御回路３４は、再生を中断し、再生開始の位置に光ヘッド１１をシークさせる（図２０（Ｄ３））。ここでこの再生したユーザーデータが外部機器で処理さて順次メモリ５４に蓄積されていることにより、このメモリ５４に蓄積されたユーザーデータを光ディスク１２の対応する箇所に例えばオーバーライト記録する（図２０（Ｄ４））。これによりメモリ５４に蓄積した記録側のユーザーデータ量、又は再生側のユーザーデータ量が所定値以下になると、再生を中断した箇所よりユーザーデータを再生し、これらの制御を繰り返す。
【０１４８】
これによりシステム制御回路３４は、間欠的に光ディスク１２よりユーザーデータＤＵを再生し、このユーザーデータＤＵの再生箇所に、外部機器より処理されたユーザーデータを間欠的に記録し直す。なおシステム制御回路３４は、このアフレコにおいても、再生側チャンネルについては、光ディスク１２の回転速度を記録側チャンネルにおける回転速度に維持し、これにより光ディスク１２の回転速度の切り換え頻度を低減してアクセス速度を向上する。
【０１４９】
図２２は、ユーザーがポインタ再生のモードを選択した場合を示す略線図である。この場合システム制御回路３４は、光ディスク１２のリードインエリアに記録されたファイル管理用のデータにより判断して、光ディスク１２に記録された各番組を順次頭出しして所定期間づつ再生する。このためシステム制御回路３４は、このファイル管理用のデータに従って、光ヘッド１１をシークさせて頭出しし（図２２（Ｂ））、この頭出しした箇所より光ディスク１２の再生を開始する（図２２（Ａ１）、（Ｂ））。さらにメモリ５４を介して、再生したユーザーデータを出力する（図２２（Ｃ））。
【０１５０】
ここで所定時間経過してメモリ５４に十分なユーザーデータ量が蓄積されると、システム制御回路３４は、光ヘッド１１をシークさせて続く番組を頭出しし（図２２（Ａ２））、このメモリ５４のユーザーデータ量が所定値以下に低減するのを待って、この頭出しした箇所より光ディスク１２を再生する（図２２（Ａ３））。システム制御回路３４は、これらの処理を繰り返して、光ディスク１２に記録された各番組を順次頭出しして再生する。
【０１５１】
図２３は、システム制御回路３４の制御により、連続するデータを記録再生する際における光ディスク１２のアクセスを示す略線図である。システム制御回路３４は、アドレス検出回路３７より検出されるアドレスデータＩＤに基づいて、内周側のゾーンより外周側のゾーンに対象を切り換えて、順次連続するデータを記録し、また連続するデータを再生する。
【０１５２】
このときシステム制御回路３４は、スレッドモータ３６を制御して、内周側のゾーンより外周側のゾーンＺｍにアクセス対象を切り換えた場合、符号Ｇ１により示すように、最内周のグルーブよりアクセスを開始した後、符号Ｇ２により示すように、このグルーブによるトラックをこのゾーンＺｍの最外周までアクセスするように、全体の動作を制御する。続いてシステム制御回路３４は、符号Ｊにより示すように、トラックジャンプを指示し、このゾーンＺｍの最内周のランドによるトラックにアクセス対象を切り換え、この最内周のランドによるトラックから（符号Ｌ１）、このランドによるトラックをこのゾーンＺｍの最外周までアクセスするように（符号Ｌ２）全体の動作を制御する。
【０１５３】
これによりシステム制御回路３４は、ＺＣＬＶにより光ディスク１２を駆動するにつき、一定の回転速度に保持する範囲については、この範囲に対して連続するユーザーデータＤＵを記録し、この範囲について記録困難になると、続く外周側の領域にユーザーデータＤＵを記録する。これにより光ディスク装置１０では、可能な範囲で、光ディスク１２の回転速度の切り換え頻度を低減するようになされ、その分アクセス速度を向上するようになされている。
【０１５４】
このときシステム制御回路３４は、この一定の回転速度に保持する範囲のうち、始めにグルーブによるトラックについて内周側より外周側に順次ユーザーデータＤＵを記録し、この記録が完了すると、ランドによるトラックについて順次ユーザーデータを記録することにより、光ヘッド１１のシーク頻度についても低減するようになされ、これによってもアクセス速度を向上するようになされている。
【０１５５】
システム制御回路３４は、このようにして１のゾーンについてアクセスを完了すると、続く外周側のゾーンにアクセス対象を切り換え、この外周側ゾーンのグルーブによるトラックより、続くユーザーデータＤＵの記録を開始する。これによりシステム制御回路３４は、各ゾーンにおいては、グルーブによるトラックよりアクセスを開始するように、全体の動作を制御する。
【０１５６】
ところでこの実施の形態のように、高開口数の光ヘッドにより光ディスクをアクセスする場合、ディスク表面に付着した塵等により記録再生特性が劣化する。実験した結果によれば、図２４に示すように、開口数０．８による場合は、小径の塵（１００〔μｍ〕以上の塵により）によってもバーストエラーが発生し、これによりディスク表面に小さな塵等が付着しても、ビットエラーレートが低下することが分かった。このためこの実施の形態では光ディスク１２をカートリッジに収納して保持する。
【０１５７】
図２５は、光ディスク１２を収納するカートリッジを示す分解斜視図である。この実施の形態では、光ディスク１２をこのカートリッジ６０に取り出し困難に収納して保持し、この状態で光ディスク装置１０に装填する。なおこの図２５においては、シャッターを取り外した状態を示す。
【０１５８】
すなわち光ディスク１２は、シート材６１及び６２が両面に配置されて、上ケース６３及び下ケース６４に収納される。ここでシート材６１及び６２は、不織布を略円盤形状に打ち抜いて形成され、この不織布は、表面に微小が凹凸が形成された繊維により形成される。これによりカートリッジ６０では、光ディスク１２が回転すると、光ディスク１２表面の塵等をシート材６１及び６２に吸着させ、このシート材６１及び６２により光ディスク１２の両面を清掃する。
【０１５９】
さらにシート材６１及び６２は、光ディスク１２より大径に形成され、光ディスク１２の周囲を囲むように、接着材により周囲（図面にてハッチングにより示す）が接着される。これによりシート材６１及び６２は、光ディスク１２を内部に収納する袋状に形成され、カートリッジ６０内に侵入した塵等が、容易に光ディスク１２に付着しないように、光ディスク１２を保護する。
【０１６０】
さらにシート材６１及び６２は、光ディスク１２の回転中心近傍と、この回転中心近傍より外周側に延長する切り欠きが形成され、この回転中心近傍の切り欠き６１Ａ、６２Ａにより光ディスク装置１０で光ディスク１２をチャッキングできるように形成され、また回転中心近傍から延長する切り欠き６１Ｂ、６２Ｂにより、光ディスク１２をアクセスできるように形成される。
【０１６１】
ここで図２６に示すように、この回転中心近傍の切り欠き６１Ａ、６２Ａは、光ディスク１２をチャッキングするのに必要最小限度の大きさに形成される。また回転中心近傍から延長する切り欠き６１Ｂ、６２Ｂは、光ヘッド１１がアクセスするのに必要最小限度の大きさに形成され、具体的に、この実施の形態では、光ディスク装置１０が小さなワーキングディスタンスにより光ディスク１２をアクセスすることにより、光ヘッド１１がシークしても、光ヘッド１１の第１レンズ１７Ａと変調コイル１８等の構成部品が接触しない形状に形成される。
【０１６２】
これによりシート材６１及び６２は、光ディスク１２の回転中心近傍と、レーザービームの入射を害する範囲とを除いて、光ディスク１２の表面を覆い、可能な限り光ディスク１２を露出させないようになされている。なお光ディスク１２が片面のみに情報記録面が形成されている場合、シート材６１及び６２の何れかは、回転中心近傍の切り欠きのみ形成される。
【０１６３】
上ケース６３及び下ケース６４は、樹脂を射出形成して形成され、シート材６１及び６２の切り欠き６１Ｂ、６２Ｂに対応して、光ディスク１２の回転中心近傍と、この回転中心近傍より光ディスク１２の外周方向に延長する開口６３Ａ及び６４Ａが形成される。ここで回転中心近傍には、光ディスク１２をチャッキングするために、この回転中心近傍より光ディスク１２の外周方向については、光ヘッド１１を近接して配置するために、開口が形成される。
【０１６４】
このため回転中心近傍より光ディスク１２の外周方向については、シート材６１及び６２の切り欠き６２Ｂ、６２Ｂに比して幅広に開口が形成される。なお光ディスク１２が片面のみに情報記録面を有する場合、上ケース６３及び下ケース６４の何れかについては、回転中心近傍にのみ開口が形成される。
【０１６５】
さらに下ケース６４は、開口６４Ａの近傍、光ディスク１２の情報記録面が開口６４Ａに侵入する側に、押圧部材６５−１、６５−２が配置され、この押圧部材６５−１、６５−２によりシート材６１、６２を押圧して、光ディスク１２に対してシート材６１及び６２を押圧する。ここで押圧部材６５−１、６５−２は、金属板材をバネ状に曲げ加工して形成される。これにより光ディスク１２は、シート材６１及び６２による清浄の効果を増大するようになされている。
【０１６６】
さらに図２７に示すように、上ケース６３及び下ケース６４は、開口６３Ａ、６４Ａとは逆側の隅部が光ディスク１２の識別領域６３Ｂ、６４Ｂに割り当てられ、内部に保持する光ディスク１２に応じてこの識別領域６３Ｂ、６４Ｂに、矩形形状の凹部６６が形成される。これによりカートリッジ６０では、光ディスク１２の種類を簡易かつ確実に識別できるようになされている。なお、内部に収納する光ディスク１２が、両面に情報記録面を有するいわゆる両面ディスクの場合、上ケース６３及び下ケース６４は、それぞれに識別領域６３Ｂ、６４Ｂが形成されるのに対し、光ディスク１２が片面のみに情報記録面を有する場合、上ケース６３及び下ケース６４の何れかについてだけ識別領域が形成される。
【０１６７】
さらに上ケース６３及び下ケース６４は、残る隅部に、アクセス制限の設定領域６３Ｃ、６４Ｃが形成され、この設定領域６３Ｃ、６４Ｃにスライドスイッチ６７が配置される。ここでこのスライドスイッチ６７は、矢印に示すようにスライドさせて、この設定領域６３Ｃ、６４Ｃに貫通孔を形成し、またこの貫通孔を閉じることができるように形成される。これによりカートリッジ６０では、このスライドスイッチ６７を操作して、光ディスク１２の各面について、それぞれ書き込み禁止の状態を設定できるようになされている。なお光ディスク１２が片面のみに情報記録面を有する場合、上ケース６３及び下ケース６４の何れかについてだけアクセス制限の設定領域が形成される。
【０１６８】
カートリッジ６０は、このようにして上ケース６３及び下ケース６４に光ディスク１２を収納した状態で、シャッター６８を配置して形成される。ここでシャッター６８は、金属板材を曲げ加工して形成され、又は樹脂を射出成形して形成され、断面コの字状に形成される。このシャッター６８は、上ケース６３及び下ケース６４の開口６３Ａ及び６４Ａを塞ぐように配置され、光ディスク装置１０のローディング機構によりスライドして開口６３Ａ及び６４Ａを露出させる。
【０１６９】
このシャッター６８に対応して、上ケース６３及び下ケース６４は、開口６３Ａ、６４Ａを囲むように、緩衝部材６３Ｄ及び６４Ｄが配置される。ここでこの緩衝部材６３Ｄ及び６４Ｄは、図２８に示すように、弾性を有するシート材でなる、例えばフェルトのシート材を、開口６３Ａ、６４Ａを囲む形状に打ち抜き、これを上ケース６３及び下ケース６４にそれぞれ貼り付けて配置される。これによりカートリッジ６０は、シャッター６８により開口６３Ａ、６４Ａを塞いだ際に、シャッター６８と上ケース６３及び下ケース６４との間の隙間より塵等が侵入しないように、緩衝部材６３Ｄ及び６４Ｄにより隙間を塞ぐようになされている。
【０１７０】
さらに上ケース６３及び下ケース６４は、矢印Ａ及びＢに示すように（図２７）、開口６３Ａ、６４Ａ側の隅部に、シャッター６８のスライドを制限する可動制限機構が配置される。ここで可動制限機構は、カートリッジ６０の両側面に形成された溝より飛び出さないように、両側面にボタン７０Ａ、７０Ｂが配置される。さらに可動制限機構は、開口６３Ａ及び６４Ａをシャッター６８が覆った状態で、シャッター６８の両側、カートリッジ６０の側面に、ボタン７１Ａ、７１Ｂが配置される。
【０１７１】
図２９は、図２７において符号Ａにより示した一方の可動制限機構を示す平面図である。この可動制限機構において、ボタン７０Ａは、回動部材７２Ａの一部が側面より突出して形成される。ここで回動部材７２Ａは、樹脂を射出成形して形成され、カートリッジ６０の隅部に配置された回動軸７３Ａを回動中心にして回動自在に保持される。さらに回動部材７２Ａは、カートリッジ６０の側面に形成された窓よりボタン７０Ａだけしか突出しないように、ボタン７０Ａの根元側が大きな形状により形成され、この根元側の部分が連結部材７４Ａを介して、第１のストッパー７５Ａに接続される。
【０１７２】
この第１のストッパー７５Ａは、弾性を有する樹脂を射出成形して形成され、回動軸７６Ａに回動自在に軸支される。第１のストッパー７５Ａは、この回動軸７６Ａの付近より２つの腕が延長するように形成され、そのうちの１つの腕が上ケース６３又は下ケース６４に形成された突起７７Ａに引っ掛かって、この突起７７Ａと、この突起７７Ａに引っ掛かる腕の弾性力により、矢印Ｃで示すように、ボタン７０Ａ側に回動する方向に、全体を押圧する。また第１のストッパー７５Ａは、残りの腕が連結部材７４Ａを介して回動部材７２Ａと連結される。これにより第１のストッパー７５Ａは、矢印Ｄにより示すように、カートリッジ６０の窓よりボタン７０Ａが突出するように、回動部材７２Ａを押圧し、回動部材７２Ａは、ボタン７０Ａの根元側がカートリッジ６０の窓に突き当たることにより、第１のストッパー７５Ａの回動を制限する。
【０１７３】
さらに第１のストッパー７５Ａは、連結部材７４Ａの接続部より、１の腕がほぼ直角に折れ曲がって側面とほぼ平行に延長し、シャッター６８の端部近傍にて、この腕の先端がシャッター側側面に折れ曲がる。第１のストッパー７５Ａは、このシャッター側側面に折れ曲がった腕の先端で、第２のストッパー７９Ａの動きを規制する。
【０１７４】
すなわち第２のストッパー７９Ａは、第１のストッパー７５Ａと同一の樹脂を射出成形して形成され、所定の回動軸８０Ａに回動自在に軸支される。第２のストッパー７９Ａは、この回動軸８０Ａの付近より２つの腕が延長するように形成され、そのうちの１つの腕にボタン７１Ａが形成される。さらに第２のストッパー７９Ａは、他方の腕の先端が突起８１Ａに引っ掛かる。ここで突起８１Ａは、ケース６３又は６４より突出するように、第１のストッパー７５Ａの腕の背側に形成される。これにより第２のストッパー７９Ａは、この突起７７Ａに引っ掛かる腕の弾性力により、矢印Ｅにより示すように、ボタン７１Ａ側に回動するように、全体を押圧する。
【０１７５】
さらに第２のストッパー７９Ａは、このボタン７１Ａ側の腕の先端がシャッター６８の根元部分まで延長し、この腕の先端部分がシャッター６８の突起と噛み合うように形成され、またこのようにシャッター６８の突起と噛み合った状態で、この腕の背の部分に第１のストッパー７５Ａの腕の先端が突き当たるように形成される。
【０１７６】
これにより第２のストッパー７９Ａは、ボタン７１Ａがカートリッジ６０の内側に変位してシャッター６８との噛み合いが外れないように、第１のストッパー７５Ａにより動きが規制されるようになされている。
【０１７７】
これによりカートリッジ６０では、この一の可動制限機構により、ユーザーの誤操作等によりシャッター６８をスライドさせて開口を露出しないようにし、塵等の侵入を有効に回避するようになされている。
【０１７８】
かくするにつき図３０に示すように、この可動制限機構においては、カートリッジ６０の側面より突出するボタン７０Ａを所定の押圧部材８２Ａにより押圧することにより、矢印Ｆに示すように、連結部材７４Ａを介して第１のストッパー７５Ａが回動して、この第１のストッパー７５Ａの腕の先端部分が第２のストッパー７９Ａの背の分より遠ざかり、これにより第２のストッパー７９Ａに配置されたボタン７１Ａが変位可能な状態に保持される。
【０１７９】
さらに図３１に示すように、この状態で第２のストッパー７９Ａに配置されたボタン７１Ａを押圧することにより、シャッター６８と第２のストッパー７９Ａとの噛み合いが外れ、その後図３２に示すように、他方の可動制限機構による可動の制限を受けないことを前提として、シャッター６８が可動するようになされている。これによりカートリッジ６０では、一方の可動制限機構において、ボタン７０Ａ及び７１Ｂを順次押圧してシャッター６８をスライドできるように形成され、これによりユーザーによる単純な誤操作によっては、開口が露出しないようになされている。
【０１８０】
図３３〜図３５は、他方の可動制限機構を示す平面図である。この他方の可動制限機構は、対応する符号の添え字を代えて示すように、図２９〜図３２について説明した一方の可動制限機構と対称に形成される。これによりカートリッジ６０では、いわゆる両面ディスクを収納した場合に、カートリッジ６０を裏返して光ディスク装置１０に装填して、片面の光ディスクの場合と同様に、簡易に装填できるようになされ、また光ディスク装置１０側でも、共通のローディング機構により片面ディスクと両面ディスクとをローディングできるようになされている。
【０１８１】
なおこの他方の可動制限機構は、側面のボタン７０Ｂを押圧して、第２のストッパー７９Ｂの回動の規制を解除するまでは、一方の可動制限機構と同一に動作するものの、その後の動きにおいて、図３５に示すように、シャッター６８によりボタン７１Ｂが押圧されて、シャッター６８がスライドするようになされている。
【０１８２】
これによりこのカートリッジ６０では、三重の安全機構によりシャッター６８の誤操作による塵等の侵入を有効に回避するようになされている。
【０１８３】
図３６は、この可動制限機構と、光ディスク装置１０のローディング機構との関係を示す斜視図である。この光ディスク装置１０では、所定のトレイ８５にカートリッジ６０を引き込んで光ディスク１２をローディングする。このトレイ８５は、内側側面に、押圧部材でなる突起８２Ａ及び８２Ｂが配置され、トレイ８５上をカートリッジ６０が所定位置までスライドすると、この突起８２Ａ及び８２Ｂによりボタン７０Ａ及び７０Ｂを押圧する。
【０１８４】
さらに光ディスク装置１０は、このトレイ８５の奥に、２つのローラー８３及び８４が配置される。ここでこの２つのローラー８３及び８４は、所定の回動軸に軸支された腕の先端に取り付けられ、矢印Ｇにより示すように、トレイ８５側に付勢されるようになされている。この２つのローラー８３及び８４は、カートリッジ６０が所定位置までスライドすると、ボタン７０Ａ及び７０Ｂが押圧された状態で、ローラー８３がボタン７１Ａとシャッター６８の端部に、ローラー８４がボタン７１Ｂとシャッター６８に当接する。
【０１８５】
さらに２つのローラー８３及び８４は、カートリッジ６０がさらにスライドすると、一方のローラー８３がボタン７１Ａを押圧してシャッター６８をスライドさせ、他方のローラー８４がボタン７１Ｂ及びシャッター６８より押圧されて回動し、これにより矢印Ｈにより示すように、シャッター６８をスライドさせて開口を露出させる。光ディスク装置１０では、このようにしてシャッター６８が完全に開くと、図面にてカートリッジ６０の下側より光ヘッド１１が光ディスク１２に接近し、その後フォーカスサーチ等の処理が実行される。
【０１８６】
これに対してこのカートリッジ６０を排出する場合、光ディスク装置１０では、ローディング時に、ボタン７１Ｂ及びシャッター６８より押圧されて回動した他方のローラー８４によりシャッター６８を押圧し、これにより元の状態に復帰させる。また、ローラ８３のみであっても、シャッター６８は、カートリッジ内部に設けられたバネによっても、元の状態に復帰することができるようになされている。
【０１８７】
なおカートリッジ６０においては、片面ディスクを収納する場合、シャッター６８の１方向へのスライドを制限するように、上ケース６３、下ケース６４が形成され、これにより誤装着を有効に回避できるようになされている。
【０１８８】
図３７は、識別領域６３Ｂ又は６４Ｂと、光ディスク装置１０との関係を示す略線図である。この光ディスク装置１０においては、識別領域６４Ｂの凹部６６に対応して配置された複数のスイッチ８７Ａ〜８７Ｄによりディスク弁別器５０が形成される。
【０１８９】
すなわちこれらスイッチ８７Ａ〜８７Ｄは、識別領域６４Ｂにおける凹部６６の有無に応じてそれぞれオンオフ動作し、このオンオフ動作により得られる４値の判別信号をシステム制御回路３４に出力する。
【０１９０】
システム制御回路３４は、カートリッジ６０が上述のトレイ８５に挿入されると、所定の駆動機構を駆動してカートリッジ６０をローディングし、このディスク弁別器５０の判別信号を基準にしてカートリッジ６０に収納された光ディスク１２の種類を判別する。さらにシステム制御回路３４は、この判別結果に基づいてメモリ４２に保持された対応する基準レーザー光量をロードし、この基準レーザー光量によりレーザー駆動回路５７の駆動条件を設定する。ここでメモリ４２は、上述した分周器３５Ｂの分周比に加えて、各種光ディスク１２の基準レーザー光量を保持する。
【０１９１】
これによりシステム制御回路３４は、書き込み時、光ディスク１２の種類に対応する基準光量により光ディスク１２にレーザービームＬを照射し、このレーザービームＬの照射結果より最終的な書き込み用のレーザービーム光量を設定し、また光ディスク１２が光磁気ディスクの場合、変調コイル駆動回路５６を駆動してレーザービーム照射位置に変調磁界を印加する。
【０１９２】
図３７は、識別領域６３Ｂ又は６４Ｂと、光ディスク装置１０との関係を示す略線図である。この光ディスク装置１０においては、識別領域６４Ｂの凹部６６に対応して配置された複数のスイッチ８７Ａ〜８７Ｄによりディスク弁別器５０が形成される。
【０１９３】
すなわちこれらスイッチ８７Ａ〜８７Ｄは、識別領域６４Ｂにおける凹部６６の有無に応じてそれぞれオンオフ動作し、このオンオフ動作により得られる４値の判別信号をシステム制御回路３４に出力する。
【０１９４】
システム制御回路３４は、カートリッジ６０が上述のトレイ８５に挿入されると、所定の駆動機構を駆動してカートリッジ６０をローディングすると、このディスク弁別器５０の判別信号を基準にしてカートリッジ６０に収納された光ディスク１２の種類を判別する。さらにシステム制御回路３４は、この判別結果に基づいてメモリ４２に保持された対応する基準レーザー光量をロードし、この基準レーザー光量によりレーザー駆動回路５７の駆動条件を設定する。ここでメモリ４２は、上述した分周器３５Ｂの分周比に加えて、各種光ディスク１２の基準レーザー光量を保持する。
【０１９５】
これによりシステム制御回路３４は、書き込み時、光ディスク１２の種類に対応する基準光量により光ディスク１２にレーザービームＬを照射し、このレーザービームＬの照射結果より最終的な書き込み用のレーザービーム光量を設定し、また光ディスク１２が光磁気ディスクの場合、変調コイル駆動回路５６を駆動してレーザービーム照射位置に変調磁界を印加する。
【０１９６】
（１−２）第１の実施の形態の動作
以上の構成において、マスタリング装置１では（図２）、ディスク原盤２を回転駆動して内周側より外周側に向かってらせん状にレーザービームＬを照射することにより、約１．０〔μｍ〕の間隔で、グルーブの形状が形成され、このグルーブ形状がウォウブル信号ＷＢにより蛇行するように形成される。
【０１９７】
さらにこのときマスタリング装置１では、レーザービームＬの露光により形成されるグルーブと、隣接するグルーブ間の間隔とがほぼ等しくなるように、レーザービームＬのスポット形状、光量が設定され、これにより光ディスクは、グルーブを基準にしてランドグルーブ記録可能なように形成される。またこのときグルーブを基準にして約０．２１〔μｍ／ｂｉｔ〕の線記録密度によりランドグルーブ記録して容量８〔ＧＢ〕以上のデータを記録できるように形成される。これによりマスタリング装置１は、このディスク原盤２より作成される光ディスクについては、情報記録面を有効に利用して容量８〔ＧＢ〕以上のデータを記録できるようにする。
【０１９８】
このときマスタリング装置１では、アドレス信号生成回路６において、ディスク原盤２の回転に応じて順次値が変化するアドレスデータＩＤ（図４（Ａ））が形成され、このアドレスデータＩＤに同期データ等が付加されてアドレスエリアＡＲ２に割り当てるデータが形成される。さらにこのデータが変調された後、合成回路８においてウォウブル信号ＷＢと合成された後、駆動回路５に出力される。これによりマスタリング装置１では、グルーブの蛇行が所定の角間隔で中断されて、ディスク原盤２にピット列によるアドレスデータが記録され、このアドレスデータを先頭にしてディスク原盤２を所定の角間隔で放射状に分割してなるセクタ構造が形成される。
【０１９９】
これによりこのディスク原盤２により形成される光ディスクにおいては、セクタ構造が形成され、このアドレスデータを基準にして各セクタを単位にしてアクセスすることができ、その分アクセス速度が向上される。またこのとき塵等により正しくアドレスデータを再生できない場合でも、グルーブの蛇行を基準にした補間処理により、各セクタを正しくアクセスすることができる。従ってアドレスデータにおいては、高密度に情報を記録する場合でも、冗長度を低く設定することができ、その分情報記録面を有効に利用して光ディスクに記録されたアドレスを確実に検出することができる。
【０２００】
このようにしてセクタ構造を形成する際に、マスタリング装置１では、ウォウブル信号ＷＢの周波数の切り換えにより、ディスク原盤２が同心円状にゾーニングされ、内周側のゾーンより外周側のゾーンに向かって順次セクタ数が増大するように、ピット列が形成される。これによりこのゾーニングに対応してゾーンＣＬＶの手法を適用して光ディスクをアクセスして、情報記録面を効率良く利用することができ、またアクセス速度を向上することができる。
【０２０１】
さらにこのときアドレスエリアＡＲ２を前後の領域に分割して、それぞれ続くグルーブによるセクタと、続くランドによるセクタとのアドレスデータを割り当てたことにより、ランドグルーブ記録により高密度にデータを記録する場合でも、隣接トラックからのクロストークを有効に回避して、確実にアドレスデータを再生することができる。
【０２０２】
これによりこの実施の形態に係る光ディスクの製造工程では、このマスタリング装置１によるディスク原盤２より、所定の工程を経て、ディスク原盤２に形成したセクタ構造により光ディスクが作成される。
【０２０３】
この光ディスクは（図５）、この情報記録面の上に、レーザービームを透過してこのレーザービームを情報記録面に導く光透過層が約０．１〔ｍｍ〕の厚さで形成され、これにより光透過層を介して高開口数の光学系よりレーザービームを照射しても、（２）式及び（３）式の関係式を満足するように設定され、スキューの影響を有効に回避してこの情報記録面に所望のデータを確実に記録再生できるように形成される。
【０２０４】
この光ディスク１２は、光ディスク装置において、このようにして生成されたグルーブの蛇行を基準にしてスピンドル制御等の処理が実行され、このときＰＬＬ回路３５においてグルーブの蛇行を基準にした精度の高いクロックＣＫが生成され、またクラスタカウンタ３８によりセクタのタイミングが検出される（図６）。
【０２０５】
すなわち光ディスク１２は、光ディスク装置１０において（図７、図８）、光ヘッド１１よりレーザービームが照射され、その戻り光が光ヘッド１１により受光されて、戻り光の光量に応じて信号レベルが変化する再生信号ＲＦ、戻り光の偏光面に応じて信号レベルが変化する再生信号ＭＯ、グルーブ又はピット列に対するレーザービーム照射位置の変位に応じて信号レベルが変化するプッシュプル信号ＰＰ、デフォーカス量に応じて信号レベルが変化するフォーカスエラー信号ＦＥが検出される。
【０２０６】
このときワーキングディスタンスＷＤが５６０〔μｍ〕に設定された開口数０．７８の対物レンズ１７を介して波長６５０〔ｎｍ〕のレーザービームが照射されることにより、ＤＶＤと比較してスポットサイズを約１／２にして高密度記録することができる。これによりチャンネルコーディングにおいて効率の良いＰＲＭＬが適用されることにより、また効率の良いプリマスタードアドレスが採用されて冗長度が下げられてことにより、記録容量を８〔ＧＢ〕程度に設定することができる。
【０２０７】
またこのときワーキングディスタンスが５６０〔μｍ〕に設定されていることにより、レンズの曲率、レンズ面間の偏芯許容度、面角許容度を実用上十分な範囲に設定して、小口径のレンズにより光学系を形成でき、また実用的な限界とされるＤＶＤに近い４．５〔ｍｍ〕以下のビーム径により対物レンズにレーザービームを入射することができる。これにより充分な精度により光ヘッド１１を作成することが可能となり、また対物レンズ１７の光ヘッドへの衝突等も防止される。
【０２０８】
このようにして検出されるプッシュプル信号ＰＰから、ウォウブル信号検出回路３９において、ウォウブル信号ＷＢが抽出され、このウォウブル信号ＷＢが２値化されてエッジ情報が抽出される。さらに続くＰＬＬ回路３５において、このエッジ情報を有してなる２値化信号Ｓ１が分周器３５Ｂの出力信号ＣＫとの間で位相同期され、書き込み読み出しクロックＲ／Ｗ  ＣＫが生成される。
【０２０９】
このときウォウブル信号ＷＢが単一周波数のキャリア信号により生成されていることにより、２値化して得られるエッジ情報においては、各エッジ情報が正しい位相情報を有していることになる。これによりこのエッジ情報に位相同期させて、精度の高い書き込み読み出しクロックＲ／Ｗ  ＣＫが生成される。
【０２１０】
さらに書き込み読み出しクロックＲ／Ｗ  ＣＫは、アドレス検出回路３７においてアドレスエリアＡＲ２より検出されるフレーム同期のタイミングを基準にして、クラスタカウンタ３８によりカウントされ、これにより記録再生回路５３における書き込み読み出しのタイミングが設定される。このとき精度の高いクロックＲ／Ｗ  ＣＫを基準にしてこのタイミングが設定されることにより、光ディスク装置１０においては、レーザービーム照射位置を高い精度により判定して書き込みのタイミング等を設定することができる。従って光ディスク１２に高密度にユーザーデータを記録するにつき、光ディスク１２の情報記録面を高密度に利用してこれらユーザーデータを記録することができる。
【０２１１】
このとき塵等の影響によりアドレス検出回路３７において、正しくフレーム同期のタイミングを検出困難な場合でも、ＰＬＬ回路３５より出力されるクロックＲ／Ｗ  ＣＫをクラスタカウンタ３８でカウントすることにより、正しいタイミングを検出することができ、これにより高開口数の光学系により所望のデータを高密度に記録再生する場合でも、これらのデータを確実に記録再生することができる。
【０２１２】
このようにしてウォウブル信号ＷＢを処理する際に、ＰＬＬ回路３５において、レーザービーム照射位置に応じて分周器３５Ｂの分周比が切り換えられ、これによりＺＣＬＶにより光ディスク１２が回転駆動される。
【０２１３】
このときグルーブの蛇行周期が、回転角度に換算して各領域で一定に形成されていることにより、各ゾーン内において速やかにＰＬＬ回路３５の同期が形成され、その分アクセス速度を向上することができる。また光ディスク１２の回転速度に換算してグルーブの蛇行が一定周期により形成されていることにより、隣接トラックからの影響も有効に回避することができる。
【０２１４】
かくするにつき光ディスク装置１０では（図６）、このような記録再生のタイミングの制御により、記録時においては、エンコーダ５１においてビデオ信号及びオーディオ信号がＭＰＥＧに規程のフォーマットによりデータ圧縮されてユーザーデータＤＵに変換され、このユーザーデータＤＵが所定のＥＣＣブロック単位で変調処理される。
【０２１５】
さらに光ディスク１２が光磁気ディスクの場合、光ヘッド１１より書き込み読み出しクロックＲ／Ｗ  ＣＫに同期したタイミングにより間欠的にレーザービームの光量を立ち上げた状態で、変調コイル駆動回路５６によりこのレーザービーム照射位置に変調処理されたＥＣＣブロックのデータに従って変調磁界が印加され、これにより熱磁気記録の手法を適用して、最短記録マーク４／３ｂｉｔにより最大ランレングス８Ｔ、最小ランレングス２Ｔのマークを順次形成して線記録密度０．２１〔μｍ／ｂｉｔ〕によりユーザーデータＤＵが記録され、連続して３時間のビデオ信号及びオーディオ信号が記録される。
【０２１６】
これにより冗長度２３〔％〕以下により、効率良くビデオ信号及びオーディオ信号が記録される。
【０２１７】
また３２〔ＫＢ〕のＥＣＣデータブロックを単位にして順次光ディスクにビデオ信号及びオーディオ信号が記録されることにより、誤り訂正処理における符号間間隔が十分に確保され、ビットエラーレートが改善される。さらにＥＣＣデータブロックを単位にして記録再生することにより、記録再生処理を交互に切り換える等の特殊再生モード、さらにはシークを間に挟んで離散的にデータ記録する場合等のデータ処理が簡略化される。
【０２１８】
これらの場合に、光ディスク１２が相変化型の場合、又は追記型の場合、書き込み読み出しクロックＲ／Ｗ  ＣＫに同期したタイミングで、（１、７）ＲＬＬ変調されたＥＣＣブロックのデータに従って、レーザー駆動回路５７により間欠的にレーザービームの光量が切り換えられ、これにより同様のピット列が形成されて線記録密度０．２１〔μｍ／ｂｉｔ〕により、また最短マーク長又は最短ピット長０．３〔μｍ〕以下によりユーザーデータＤＵが記録され、連続して３時間のビデオ信号及びオーディオ信号が記録される。
【０２１９】
これにより光ディスク装置１０では、録画時間に関して、ビデオテープレコーダと同様の使い勝手が確保される。
【０２２０】
さらにランドグルーブ記録により光ディスクに記録され、これにより情報記録面を有効に利用して効率良くビデオ信号及びオーディオ信号が記録される。またトラックピッチ０．５〔μｍ〕により記録されて、３時間分のビデオ信号及びオーディオ信号が１枚の光ディスク１２に記録される。
【０２２１】
このときこの光ディスク装置１０では、１ＥＣＣブロックのユーザーデータＤＵが、４つのセクタに順次割り当てられて記録され、このとき精度の高いクロックにより記録開始のタイミングを精度良く検出することができることにより、また塵等によっても補間処理により正しいタイミングを検出できることにより、高開口数の光学系により光ディスク１２に高密度に記録する場合でも、対応するセクタに確実に記録することができる。
【０２２２】
これに対して再生時、光ディスク装置１０においては、記録時と同様にして、対応するセクタが検出される。また光ヘッド１１より得られる再生信号ＲＦ又はＭＯが２値化された後、再生クロックが生成され、この再生クロックを基準にして順次再生データが得られ、この再生データが復号されて出力される。このとき光磁気ディスク１２より得られる再生信号ＭＯは、ピット列より得られる再生信号ＲＦに比して小さいＳ／Ｎ比により得られる。ところがこの実施の形態では、ピット列によるアドレスエリアＡＲ２が、各ゾーンで放射状に形成されていることにより、このピット列からの再生信号ＭＯに対するクロストークが有効に回避される。
【０２２３】
このようにして光ディスク１２をアクセスする際に、光ディスク装置１０では、大容量のメモリ５４を介してエンコーダ５１、デコーダ５２との間でユーザーデータが入出力され、光ディスク１２に対しては、このエンコーダ５１、デコーダ５２との間のデータ転送速度に比して高速度の、１１．０８〔Ｍｂｐｓ〕のデータ転送速度により間欠的にユーザーデータが記録され、また再生される。これによりクラスタを単位にして離散的にユーザーデータを記録して、十分なシーク時間を確保でき、また振動等により瞬間的にデトラックしても、連続するビデオ信号及びオーディオ信号を途絶えることなく記録再生することができる。またポインタ再生により、光ディスク１２に記録された各番組を頭出し再生することができる。
【０２２４】
またユーザーにより２チャンネルのビデオ信号及びオーディオ信号を同時に処理する、追っかけ再生、マルチチャンネルモード、アフレコのモードが選択されると、光ディスク１２の回転速度が通常の２倍の回転速度に切り換えられる。これにより光ディスク装置１０では、連続するビデオ信号及びオーディオ信号をメモリ５４を介して間欠的に光ディスク１２に記録再生するにつき、光ディスク１２に対するアクセスの間に、十分な空き時間が確保される。光ディスク装置１０では、この空き時間を他のチャンネルの記録再生に、また光ヘッド１１のシークに割り当て、これにより２チャンネルのビデオ信号及びオーディオ信号が同時に処理される。
【０２２５】
このようにして光ディスク１２をアクセスするにつき、この光ディスク装置１０では、光透過層の厚さが０．１〔ｍｍ〕に設定された光ディスクを、高開口数の光学系によりアクセスすることにより、光ディスク１２の表面に堆積する小さな塵等によっても再生信号ＲＦ、ＭＯの信号レベルが変化し、これにより従来に比してエラーレートが劣化する恐れがある。
【０２２６】
このため光ディスク１２は（図２５）、カートリッジ６０に取り出し困難に収納されて、このカートリッジ６０により光ディスク装置１０に装填され、これにより塵等の付着が回避される。
【０２２７】
またこのとき光ディスク１２は、袋状に形成されたシート材６１及び６２に収納されてカートリッジ６０に収納され、また押圧部材６５により、シート材６１及び６２が押圧されることにより、さらには緩衝部材６３Ｄ及び６４Ｄにより、シャッター６８と上ケース６３及び下ケース６４との間の隙間が塞がれ、これらにより塵等の付着が有効に回避される。
【０２２８】
またカートリッジ６０は（図２９〜図３３）、側面に配置されたボタン７０Ａ、７０Ｂを押圧して、第１のストッパー７５Ａ、７５Ｂによる第２のストッパー７９Ａ、７９Ｂの動きの規制を解除した後、ボタン７１Ａ又は７１Ｂを押圧して第２のストッパー７９Ａ又は７９Ｂとシャッター６８との噛み合いを解除しなければスライドしないように形成され、これによりユーザーの誤操作により開口６３Ａ、６４Ａが露出しないようになされ、このような誤操作による塵等の侵入が有効に回避される。
【０２２９】
これらによりこのようにカートリッジ６０に収納されてなる光ディスク１２は（図３６）、トレイ８５に配置されると、システム制御回路３４により駆動機構が駆動されてトレイ８５上をスライドし、このトレイ８５に形成された突起８２Ａ、８２Ｂによりカートリッジ６０のボタン７０Ａ、７０Ｂが押圧される。その後カートリッジ６０は、ローラー８３によりボタン７１Ａが押圧されると共に、シャッター６８が押圧され、これによりシャッター６８がスライドして開口６３Ａ、６４Ａが露出し、この開口６３Ａ、６４Ａに光ヘッド１１が侵入して光ディスク１２のローディングを完了する。
【０２３０】
この状態で光ディスク装置１０では（図３７）、光ヘッド１１によりアクセスする光ディスク１２の情報記録面に対応して、カートリッジ６０に形成された識別領域６３Ｂ又は６４Ｂについて、ディスク弁別器５０により凹部６６の有無が検出され、これによりこの情報記録面の種類が判定される。またカートリッジ６０のスイッチ６７の設定により、この情報記録面が書き込み禁止に設定されているか否か検出される。
【０２３１】
これにより光ディスク装置１０では、光ディスク１２が光磁気ディスクの場合、変調コイル駆動回路５６及びレーザー駆動回路５７の動作が立ち上げられて、光ディスク１２にユーザーデータＤＵが熱磁気記録される。また光ディスク１２が、相変化型光ディスク、追記型光ディスクの場合、レーザー駆動回路５７の動作が立ち上げられて、マーク列又はピット列によりユーザーデータＤＵが記録される。
【０２３２】
このとき光ディスク装置１０では、メモリ４２に保持された各光ディスクの種類に応じた基準レーザー光量により光ディスク１２にレーザービームＬが照射され、このレーザービームＬの照射結果に基づいて、最適光量が設定される。これによりこの光ディスク装置１０では、種々の光ディスク１２に所望のデータを記録できるようになされている。
【０２３３】
またこのとき光ヘッド１１において（図８）、対物レンズ１７側に配置した変調コイル１８により、光透過層の厚さを０．１〔ｍｍ〕に設定した光ディスクに対して変調磁界を印加することにより、高開口数の光学系により光ディスク１２をアクセスする場合に、相変化型光ディスク、追記型光ディスクについてだけでなく、光磁気ディスクについても、種々のデータを記録することができ、これにより光ディスク装置１０の適用範囲が格段的に拡大される。
【０２３４】
（１−３）第１の実施の形態の効果
以上の構成によれば、ワーキングディスタンス５６０〔μｍ〕に設定された開口数０．７８の対物レンズ１７を介して波長６５０〔ｎｍ〕のレーザービームを照射してビデオ信号及びオーディオ信号によるユーザーデータを記録することにより、データ処理の条件を選定して８〔ＧＢ〕のデータを記録することができる。また光ディスクへの衝突等の事故を有効に回避して、充分な精度により光ヘッド１１を作成することができる。またＤＶＤの光学系と等しいビーム径によりレーザービームを対物レンズに入射することにより、このような高開口数の光学系を実用限界により構成することができ、またこのとき膜厚の薄い光透過層を介してレーザービームを照射することにより、このような光学系によるスキューにあっても実用限界を確保することができ、これらにより光ディスク装置に特有の機能を有効に利用できる程度で、かつビデオテープレコーダと同等の使い勝手を得ることができる。
【０２３５】
（２）第２の実施の形態
図３８は、本発明の第２の実施の形態に係るマスタリング装置を示すブロック図である。この実施の形態に係る光ディスクの製造工程では、このマスタリング装置１０１によりディスク原盤２を露光し、このディスク原盤２より光ディスクを製造する。なおこの実施の形態において、第１の実施の形態と同一の構成は、対応する符号を付して示し、重複した説明は省略する。
【０２３６】
この実施の形態では、このマスタリング装置１０１により、ラセン状に、１．０〔μｍ〕のトラックピッチによりグルーブによるトラックを形成する。またこのディスク原盤２より光ディスクを作成した際に、グルーブ及びランドの幅がほぼ等しくなるように、レーザービームＬを照射する。さらにウォウブルデータ生成回路１０６により生成したウォウブルデータＡＤＩＰによりグルーブを蛇行させる。
【０２３７】
これによりこの実施の形態では、ピット列に代えてグルーブの蛇行によりアドレスをプリフォーマットする。さらにこのようにグルーブの蛇行によりアドレスをプリフォーマットしても精度の高い位置情報を取得できるようにし、これらのことから第１の実施の形態と同一の記録容量を確保する。
【０２３８】
すなわちウォウブルデータ生成回路１０６は、ディスク原盤２の回転に同期したタイミング信号（ＦＧ信号等でなる）をスピンドルモータ３等より受け、このタイミング信号を所定のカウンタによりカウントすることにより、ディスク原盤２が例えば１／１６回転する周期で順次循環的に値の変化するフレーム番号ｓｙｎｃ  ｎｏ  と、フレーム番号ｓｙｎｃ  ｎｏ  の変化に対応してレーザービームＬの照射位置が１トラック分変位する毎に値の変化するトラック番号ｔｒａｃｋ  ｎｏを生成する。
【０２３９】
これによりウォウブルデータ生成回路１０６は、フレーム番号ｓｙｎｃ  ｎｏ  及びトラック番号ｔｒａｃｋ  ｎｏによるアドレスデータを生成する。なおここでウォウブルデータ生成回路１０６は、フレーム番号ｓｙｎｃ  ｎｏ  及びトラック番号ｔｒａｃｋ  ｎｏをそれぞれ４ビット及び２０ビットにより生成する。
【０２４０】
さらにウォウブルデータ生成回路１０６は、フレーム番号ｓｙｎｃ  ｎｏ  及びトラック番号ｔｒａｃｋ  ｎｏに８ビットのリザーブ用ビットｒｅｖ  を加え、このフレーム番号ｓｙｎｃ  ｎｏ  、トラック番号ｔｒａｃｋ  ｎｏ及びリザーブ用ビットｒｅｖ  による情報ワードＭ（ｘ）を用いて所定の演算処理を実行し、誤り検出符号ＣＲＣＣ（Ｃｙｃｌｉｃ  Ｒｅｄｕｎｄａｎｃｙ  Ｃｈｅｃｋ  Ｃｏｄｅ）を生成する。これによりウォウブルデータ生成回路１０６は、図３９に示すフォーマットのアドレスデータブロックを順次生成する。なおウォウブルデータ生成回路１０６は、各アドレスデータブロックを４８ビットにより作成する。
【０２４１】
このときウォウブルデータ生成回路１０６は、誤り検出符号ＣＲＣＣの論理レベルを反転して設定することにより、またリザーブ用ビットｒｅｖ  の操作により、１アドレスデータブロック中に必ず１回はビット反転が発生するようにウォウブルデータＡＤＩＰを生成する。また必要に応じて４ビットを記録層のデータＬａｙｅｒ  に割り当てる。ここでディスク原盤２により作成される光ディスクは、情報記録層を複数有し、この記録層のデータＬａｙｅｒ  によりこの情報記録層が特定される。なお記録層のデータＬａｙｅｒ  を設定する場合には、この記録層のデータＬａｙｅｒ  も情報ワードＭ（ｘ）として誤り検出符号ＣＲＣＣの計算に使用する。
【０２４２】
ウォウブルデータ生成回路１０６は、このようにしてディスク原盤２の回転に同期してアドレスデータフレームを順次生成すると共に、この生成したアドレスデータフレームをディスク原盤２の回転に同期したシリアルデータに変換し、このシリアルデータをウォウブルデータＡＤＩＰとして順次ウォウブル信号発生回路１０７に出力する。
【０２４３】
ウォウブル信号発生回路１０７は、ウォウブルデータＡＤＩＰ等よりウォウブル信号ＷＢを生成する。このウォウブル信号発生回路１０７において、発生回路１０７Ａは、周波数１１５．２〔ｋＨｚ〕の基準信号を生成する。なおこのマスタリング装置１０１では、この基準信号を用いてスピンドルモータ３をスピンドル制御し、これによりディスク原盤２の回転に同期したウォウブル信号ＷＢを生成する。分周回路１０７Ｂは、この周波数１１５．２〔ｋＨｚ〕の基準信号を１／８分周し、周波数１４．４〔ｋＨｚ〕の基準クロックを生成する。
【０２４４】
図４０に示すように、バイフェーズマーク変調回路１０７Ｃは、ウォウブルデータＡＤＩＰの論理レベルに応じて、この周波数１４．４〔ｋＨｚ〕の基準クロックの位相に同期した第１の基準クロックと、この第１の基準クロックに対して周波数が１／２に設定された第２の基準クロックとを順次選択し、これによりウォウブルデータＡＤＩＰをバイフェーズマーク変調してチャンネル信号ｃｈを生成する。
【０２４５】
このときバイフェーズマーク変調回路１０７Ｃは、各アドレスデータフレームの先頭に、所定の同期パターンを割り当ててチャンネル信号ｃｈを生成する。（図４０（Ａ）〜（Ｅ））。なおこの同期パターンは、バイフェーズマーク変調によっては発生しないユニークなパターンで、かつＤＳＶが０のパターンが割り当てられ、アドレスデータフレームとの境界でチャンネル信号ｃｈの信号レベルが切り換わるように、極性が設定される。この実施の形態においてチャンネル信号ｃｈのチャンネルランレングスが１又は２であるのに対して、同期パターンは、最大ランレングス３を用いて３Ｔ、１Ｔ、１Ｔ、３Ｔのパターンが割り当てられる。
【０２４６】
またチャンネル信号ｃｈは、ウォウブルデータＡＤＩＰのビット境界に対応するタイミングで信号レベルが反転し、ウォウブルデータＡＤＩＰの論理レベルが０のとき、第２の基準クロックが割り当てられて一定の論理レベルに保持される。またウォウブルデータＡＤＩＰの論理レベルが１のとき、第１の基準クロックが割り当てられてビット中央に対応するタイミングで信号レベルが反転するようになされている。
【０２４７】
分周回路１０７Ｄは、周波数１１５．２〔ｋＨｚ〕の基準信号を１／２分周し、位相変調用のクロックに対して周波数を４倍に設定してなる周波数５７．６〔ｋＨｚ〕の位相変調用基準クロックを生成する。
【０２４８】
位相変調回路１０７Ｅは、この周波数５７．６〔ｋＨｚ〕の基準クロックより、この基準クロックと位相の同期した第１のキャリア信号と、この基準クロックに対して位相が１８０度変位してなる第２のキャリア信号とを生成し、チャンネル信号ｃｈの信号レベルに応じて、これら第１及び第２のキャリア信号を選択出力する（図４０（Ｆ））。これにより位相変調回路１０７Ｅは、チャンネル信号ｃｈを位相変調し、その被変調信号をウォウブル信号ＷＢとして出力する。
【０２４９】
これにより図４１に示すように、ウォウブル信号発生回路１０７は、ウォウブルデータＡＤＩＰをバイフェーズマーク変調した後（図４１（Ａ）及び（Ｂ））、同期パターンを介挿して、単一のキャリア周波数による位相変調信号を生成し、この位相変調信号をウォウブル信号ＷＢとして出力する（図４１（Ｃ））。
【０２５０】
この実施の形態では、このウォウブル信号ＷＢに応じてレーザービーム照射位置を蛇行させ、このディスク原盤２より第１の実施の形態と同様の光ディスクを作成する。
【０２５１】
図６との対比により示す図４２は、このようにして製造された光ディスクをアクセスする光ディスク装置について、ウォウブル信号の処理系を中心に示すブロック図である。この光ディスク装置１１０においては、光ヘッド１１より得られるプッシュプル信号ＰＰよりウォウブルデータＡＤＩＰを検出してレーザービーム照射位置を検出する。
【０２５２】
すなわちフレームアドレス検出回路１３７は、光ヘッド１１より出力されるプッシュプル信号ＰＰを受け、内蔵のバンドパスフィルタによりウォウブル信号を抽出する。さらにフレームアドレス検出回路１３７は、このウォウブル信号の位相変化を検出して所定の信号処理を実行することによりウォウブルデータＡＤＩＰを復調し、この復調したウォウブルデータＡＤＩＰをシステム制御回路３４、クラスタカウンタ３８に出力する。これにより光ディスク装置１１０は、システム制御回路３４において、このウォウブルデータＡＤＩＰに基づいてレーザービーム照射位置を大まかに特定できるようになされ、またクラスタカウンタ３８において、フレーム同期のタイミングを確認できるようになされている。
【０２５３】
さらにフレームアドレス検出回路１３７は、このウォウブルデータＡＤＩＰを出力する際に、この各アドレスデータフレームに割り当てられた誤り検出符号ＣＲＣＣにより誤り検出処理し、正しいと判断されるウォウブルデータＡＤＩＰについて、誤り検出符号、リザーブビットを除去して出力する。
【０２５４】
ＰＬＬ回路１３５は、ウォウブリング周期検出回路４０より出力される２値化信号を位相比較回路（ＰＣ）１３５Ａに与え、ここで分周回路１３５Ｂより出力されるクロックＣＫと位相比較する。ここで図４３に示すように、分周回路１３５Ｂにおいては、システム制御回路１３４の設定により、２値化信号Ｓ１（図４３（Ａ））に対して、周波数が２倍のクロックＣＫ（図４３（Ｂ））を出力するようになされている。これに対してウォウブル信号ＷＢにおいては、マスタリング装置１０１において位相変調されて生成されていることにより、各エッジが正しい位相情報を保持していることになる。
【０２５５】
これによりこのＰＬＬ回路１３５においては、２値化信号Ｓ１に対して２倍の周波数によりクロックＣＫとの間で位相比較して、ローパスフィルタ（ＬＰＦ）１３５Ｃによりその位相比較結果の低周波成分を抽出し、この低周波成分により電圧制御型発振回路（ＶＣＯ）１３６Ｄの発振周波数を制御する。さらにこの電圧制御型発振回路１３６Ｄの発振出力を分周回路１３５Ｂで分周し、これにより精度の高いクロックＣＫを生成できるようになされている。
【０２５６】
ＰＬＬ回路１３５において、分周回路１３５Ｂは、システム制御回路１３４の設定により、レーザービーム照射位置が光ディスク１２の外周側に変位するに従って分周比が順次増大するように設定される。これによりＰＬＬ回路１３５は、レーザービーム照射位置が光ディスク１２の外周側に変位するに従って、順次段階的に、ウォウブル信号ＷＢの周波数に対して電圧制御型発振回路１３６Ｄの発振出力の周波数が増大するようになされ、この発振出力を書き込み読み出し用クロックＲ／Ｗ  ＣＫとして出力する。
【０２５７】
この書き込み読み出しクロックＲ／Ｗ  ＣＫが一定周波数になるよう光ディスク１２を回転駆動することにより、またこの書き込み読み出しクロックＲ／Ｗ
ＣＫを基準にして所望のデータを記録することにより、光ディスク装置１１０では、第１の実施の形態と同様にＺＣＬＶにより光ディスク１１２を回転駆動する。
【０２５８】
さらにクラスタカウンタ３８により書き込み読み出し用クロックＲ／Ｗ  ＣＫのカウント結果に基づいて、システム制御回路１３４にクラスタスタートパルスを出力する。ここでクラスタスタートパルスは、このクラスタの開始のタイミングを指示するパルスである。
【０２５９】
これにより図４４に示すように、この実施の形態では、光ディスク１２の情報記録面を同心円状に複数のゾーンＺ０、Ｚ１、……、Ｚｎ−１、Ｚｎに分割し、内周側のゾーンから外周側のゾーンに向かって、順次段階的に光ディスクの回転速度を低減して、内周側のゾーンと外周側のゾーンとで等しい記録密度に設定する。
【０２６０】
またこのときクラスタカウンタ３８より出力されるクラスタスタートパルスに従って書き込み読み出しの制御を実行することにより、各ゾーンを放射状に分割して、各分割した領域に１クラスタのデータを割り当てる。これによりシステム制御回路１３４は、内周側のゾーンから外周側のゾーンに向かって、順次各ゾーンのクラスタ数を増大するようになされている。
【０２６１】
なお光ディスク装置１１０では、半径２４〔ｍｍ〕〜５８〔ｍｍ〕の領域を、８４０トラックづつ８１のゾーンに分割する。さらに最内周のゾーンでは１トラックを放射状に分割して９６４のフレームを形成する。さらに外周側のゾーンにおいては、順次１６フレームづつフレーム数が増大するように、各トラックを分割する。光ディスク装置１１０は、このようにして形成した連続する４２０フレームに、１クラスタのデータを割り当てて記録する。
【０２６２】
これらによりこの実施の形態において、光ディスク装置１１０は、第１の実施の形態と同様に、ランドグルーブ記録、ＺＣＬＶにより光ディスク１１２をアクセスし、種々の動作モードによりビデオ信号及びオーディオ信号を記録再生できるようになされている。
【０２６３】
このときこの実施の形態では、第１の実施の形態と同一のＥＣＣデータブロック（図１３）を形成し、このＥＣＣデータブロックに対して図４５に示すフレーム構造を形成する。すなわち光ディスク装置１１０は、１８２バイト×２０８バイトのＥＣＣデータブロックの各９１バイトに対して、２バイトのフレーム同期信号（ＦＳ）を割り当て、これにより１つのＥＣＣデータブロックで４１６フレームを形成する。さらにこの４１６フレームに対して、２×２フレームのリンク用フレームを割り当てる。これにより記録再生回路５３は、この図４５に示すフレーム構造により１クラスタのデータを形成する。なおこの図４５に示すフレームは、図４４について上述したフレームに対応する。
【０２６４】
これらのフレームのうちリンク用フレームは、クラスタ単位で光ディスク１１２にデータ記録する際に、隣接するクラスタとの間のバッファ用に使用される。すなわち図４６に示すように、光ディスク装置１１０では、５６バイトのデータと３つのリンク用フレームを順次光ディスク１１２に記録した後、続いてＥＣＣブロックによるフレームを順次記録する。このうち先頭５６バイトと、フレーム同期信号を間に挟んで続く９１バイトは、記録メディアとして相変化メディアを用いた湯合の、オーバーライトによる記録材料の流動性を抑圧して記録エリアのオーバーライトサイクルを向上させるために、またレーザービームの光量調整用（ｐｒｅ  ｇｕａｒｄ  ／ＡＰＣ  ）（ＡＰＣ：Ａｕｔｏｍａｔｉｃ  Ｐｏｗｅｒ  Ｃｏｎｔｒｏｌ  ）に使用される。続いてフレーム同期信号（ＦＳ）を間に挟んで、再生時のスライスレベル調整用及びＰＬＬ同期用の領域（Ｓｌｉｃｅ  ／ＰＬＬ  ）が割り当てられる。なおレーザービームの光量調整用は、再生時のスライスレベル調整用及びＰＬＬ同期用にも利用される。またこの先頭側末尾には、４バイトの同期パターン（Ｓｙｎｃ）、リザーブ用の領域（Ｒｅｓａｒｖｅｄ）が設定される。
【０２６５】
これに対してＥＣＣブロックによるフレームの末尾には、フレーム同期信号（ＦＳ）に続いて、１バイトのポストアンブル（Ｐｏｓｔａｍｂｌｅ  ）、９０バイトのポストガード及びバッファ（Ｐｏｓｔ  ｇｕａｒｄ／ｂｕｆｆｅｒ）、フレーム同期信号を間に挟んで９１バイトのポストガード及びバッファ（Ｐｏｓｔ  ｇｕａｒｄ／ｂｕｆｆｅｒ）が割り当てられ、これらの間で、続いて記録するクラスタが重なり合うようになされている。なおポストアンブルは、データのマーク長を調整し、また信号極性を所定値に設定するために、ポストガードは、記録メディアとして相変化メディアを用いた湯合の、オーバーライトによる記録材料の流動性を抑圧して記録エリアのオーバーライトサイクルを向上させるための領域である。バッファは、ディスクの偏心、記録感度等による記録ジッタを吸収するエリアである。
【０２６６】
以上の構成によれば、ピット列に代えてグルーブの蛇行によりアドレスデータでなるウォウブルデータを記録するようにしても、第１の実施の形態と同様の効果を得ることができる。
【０２６７】
さらにピット列を省略した分、第１の実施の形態に比してさらに一段と効率良く光ディスクの情報記録面を使用して効率良くビデオ信号及びオーディオ信号を記録することができる。
【０２６８】
（３）第３の実施の形態
図４７は、本発明の第３の実施の形態に係るマスタリング装置を示すブロック図である。この実施の形態に係る光ディスクの製造工程では、このマスタリング装置１によりディスク原盤２を露光し、このディスク原盤２より光ディスクを製造する。なおこのマスタリング装置において、図１及び図３８について上述したマスタリング装置と同一の構成は、対応する符号を付して示し、重複した説明は省略する。
【０２６９】
このマスタリング装置１６１において、ウォウブル信号発生回路１６７は、ウォウブルデータＡＤＩＰよりウォウブル信号ＷＢを生成する。このウォウブル信号発生回路１６７において、発生回路１６７Ａは、所定の基準信号を生成して出力する。このマスタリング装置１６１では、この発生回路１６７Ａで生成する基準信号の１つを用いてスピンドルモータ３をスピンドル制御し、これによりディスク原盤２の回転に同期したウォウブル信号ＷＢを生成する。
【０２７０】
位相変調回路１６７Ｂは、基準信号の位相に同期した第１の基準クロックφ１と、この第１の基準クロックφ１に対して１８０度位相の異なる第２の基準クロックφ２とを、ウォウブルデータＡＤＩＰの論理レベルに応じて割り当てることにより、ウォウブルデータＡＤＩＰを位相変調してチャンネル信号ｃｈを生成する。
【０２７１】
このとき図４８に示すように、位相変調回路１６７Ｂは、ウォウブルデータＡＤＩＰの各ビット中心に対応するタイミングｔｃを境にして、各ビットの前半及び後半に偶数のチャンネルを形成するように（この場合はそれぞれ２チャンネルである）、かつこれら前半及び後半でそれぞれ論理１の期間と論理０の期間とが等しくなるように、第１及び第２の基準クロックφ１及びφ２を割り当てる。
【０２７２】
すなわち位相変調回路１６７Ｂは、ウォウブルデータＡＤＩＰが論理１のとき、第１の基準クロックを１周期割り当てた後、第２の基準クロックを１周期割り当て、これにより順次０１１０のチャンネルが連続するようにチャンネル信号ｃｈを生成する（図４８（Ａ）〜（Ｄ））。
【０２７３】
またこれとは逆に、ウォウブルデータＡＤＩＰが論理０のとき、第２の基準クロックを１周期割り当てた後、第１の基準クロックを１周期割り当て、これにより順次１００１のチャンネルが連続するようにチャンネル信号ｃｈを生成する。
【０２７４】
周波数変調回路１６７Ｃは、チャンネル信号ｃｈを周波数変調し、その被変調信号をウォウブル信号ＷＢとして出力する。このとき周波数変調回路１６７Ｃは、同期パターンを介挿することなく、チャンネル信号ｃｈを周波数変調してウォウブル信号ＷＢを生成し、その分冗長度を低減する。さらに周波数変調回路１６７Ｃは、周波数変調の中心周波数をｎとすると、チャンネル信号ｃｈの論理１及び０に対してそれぞれ周波数ｎ−ｄ及びｎ＋ｄの正弦波信号を割り当ててウォウブル信号ＷＢを生成する。さらにこのとき、０．５波を単位にして、周波数ｎ−ｄ及びｎ＋ｄの正弦波信号をそれぞれチャンネル信号ｃｈに割り当て、これによりウォウブルデータＡＤＩＰのビット中心及びビット境界に対応するタイミングｔｓ及びｔｃで０クロスするようにウォウブル信号ＷＢを生成する。
【０２７５】
すなわちウォウブルデータＡＤＩＰの各ビット中心に対応するタイミングｔｃを境にして、各ビットの前半及び後半に偶数のチャンネルを形成するようにし、かつこれら前半及び後半でそれぞれ論理１の期間と論理０の期間とが等しくなるように、第１及び第２の基準クロックφ１及びφ２を割り当てれば、チャンネル信号ｃｈにおいては、これらの前半及び後半で、それぞれ論理１のチャンネル数と論理０のチャンネル数とが同数に保持される。
【０２７６】
このチャンネル信号ｃｈに対して、周波数ｎ−ｄ及びｎ＋ｄの正弦波信号を０．５波を単位にして割り当てれば、ウォウブルデータＡＤＩＰの各ビットの前半及び後半に対応する期間内において、周波数ｎのキャリア信号に対する位相の変位を打ち消してウォウブル信号ＷＢを生成することができる。従ってウォウブルデータＡＤＩＰのビット中心及びビット境界に対応するタイミングｔｓ及びｔｃで０クロスするように、ウォウブル信号ＷＢを生成することができる。
【０２７７】
さらにこのとき周波数ｎ−ｄ及びｎ＋ｄの正弦波信号を０．５波単位で割り当てることにより、ウォウブル信号ＷＢの信号レベルが０レベルより立ち上がるタイミング、又はウォウブル信号ＷＢの信号レベルが０レベルより立ち下がるタイミングの何れか全てが、ウォウブルデータＡＤＩＰのビット中心及びビット境界に対応するタイミングｔｓ及びｔｃに保持されて、キャリア信号の正しい位相情報を保持することになる。
【０２７８】
従って図４９に示すように、このウォウブル信号ＷＢについては、０レベルを基準にして２値化すれば、立ち上がりエッジ又は立ち下がりエッジがチャンネル信号ｃｈのエッジのタイミングと一致してなる２値化信号Ｓ１を生成することができる（図４９（Ａ）〜（Ｄ））。従ってこの正しい位相情報を有してなるエッジのタイミングを基準にしてクロックＣＫとウォウブルクロックＷＣＫを生成して、周波数及び位相変動の無い精度の高いクロックを生成することができる（図４９（Ｅ）及び（Ｆ））。また矢印により示すように、残りのエッジにおいては、このようにして生成したクロックＣＫに対する位相差＋φ及び−φがチャンネル信号ｃｈの前半側及び後半側の論理レベルを表していることから、この位相差＋φ及び−φを基準にしてウォウブルデータＡＤＩＰを復号することもできる。
【０２７９】
これによりウォウブル信号発生回路１６７においては、このウォウブル信号ＷＢによりグルーブを蛇行させて、精度の高いクロックを生成できるようになされている。
【０２８０】
この実施の形態では、第１の実施の形態と同様にして、このディスク原盤２より種々の光ディスクを製造する。かくするにつきこの光ディスクにおいては、ウォウブル信号ＷＢの信号レベルが０レベルより立ち上がるタイミング、又はウォウブル信号ＷＢの信号レベルが０レベルより立ち下がるタイミングの全てが、キャリア信号の正しい位相情報を保持していることから、グルーブが内周側より外周側にトラックセンターを横切る周期、又はグルーブが外周側より内周側にトラックセンターを横切る周期が、一定に形成され、この横切るタイミングがキャリア信号の０クロスのタイミングと一致することになる。
【０２８１】
図５０は、この第３の実施の形態に係る光ディスク装置を示すブロック図である。この光ディスク装置１７０において、図６及び図４２について上述した光ディスク装置１０及び１１０と同一の構成は、重複した符号を付して示し、又は記載を省略し、重複した説明は省略する。
【０２８２】
この光ディスク装置１７０において、ウォウブル信号処理回路１７３は、プッシュプル信号ＰＰよりウォウブル信号ＷＢを抽出し、このウォウブル信号ＷＢを処理してウォウブルクロックＷＣＫ、クロックＣＫ、書き込み読み出し用クロックＲ／Ｗ  ＣＫを生成する。さらにウォウブル信号処理回路１７３は、ウォウブル信号ＷＢよりウォウブルデータＡＤＩＰを検出してシステム制御回路１３４に通知する。
【０２８３】
図５１は、このウォウブル信号処理回路１７３を示すブロック図である。ウォウブル信号処理回路１７３は、所定利得の増幅回路１８２でプッシュプル信号ＰＰを増幅した後、図示しないバンドパスフィルタを介してウォウブル信号ＷＢを抽出する。図５２に示すように、比較回路（ＣＯＭ）１８３は、このウォウブル信号ＷＢを０レベルにより２値化して２値化信号Ｓ２を生成することにより、ウォウブル信号ＷＢよりエッジ情報を検出する（図５２（Ａ）〜（Ｄ））。かくするにつき、この２値化信号Ｓ２は、立ち上がりエッジ又は立ち下がりエッジの何れかが、正しい位相情報を有していることになり、残るエッジの位相情報がウォウブルデータＡＤＩＰの情報を有していることになる。
【０２８４】
位相比較回路（ＰＣ）１８４は、イクスクルーシブオア回路により構成され、分周回路１８５より出力されるウォウブルクロックＷＣＫと、ウォウブル信号ＷＢとを位相比較し、位相比較結果ＳＣＯＭを出力する（図５２（Ｄ）〜（Ｇ））。ローパスフィルタ（ＬＰＦ）１８６は、この位相比較結果を帯域制限して、その低周波成分を電圧制御型発振回路（ＶＣＯ）１８７に出力する。電圧制御型発振回路１８７は、このローパスフィルタ１８６の出力信号により書き込み読み出しクロックＲ／Ｗ  ＣＫを出力する。このとき電圧制御型発振回路１８７は、ウォウブル信号ＷＢの周波数の４倍の周波数によりこの書き込み読み出しクロックＲ／Ｗ  ＣＫを生成する。分周回路１８５は、この書き込み読み出しクロックＲ／Ｗ  ＣＫを順次分周してクロックＣＫ及びウォウブルクロックＷＣＫを生成する。
【０２８５】
これにより位相比較回路１８４、分周回路１８５、ローパスフィルタ１８６、電圧制御型発振回路１８７は、ＰＬＬ回路を構成し、ウォウブル信号ＷＢが０クロスして立ち上がるタイミング（正しい位相情報を有してなるタイミング）に位相同期してなるクロックＲ／Ｗ  ＣＫ、ＣＫ、ＷＣＫを生成する。なおこの場合ウォウブルクロックＷＣＫは、２値化信号Ｓ２の正しいエッジに対してπ／２だけ位相シフトして生成されることになる。
【０２８６】
すなわちこの実施の形態において、この光ディスクにおいては、ウォウブル信号ＷＢの信号レベルが０レベルより立ち上がるタイミング、又はウォウブル信号ＷＢの信号レベルが０レベルより立ち下がるタイミングの全てが、キャリア信号の正しい位相情報を保持していることから、結局、このようにウォウブルクロックＷＣＫが２値化信号Ｓ２に位相同期している場合、ローパスフィルタ１８６を介して得られる位相比較結果ＳＣＯＭの平均値が一定値になるように発振周波数が制御される。
【０２８７】
この場合例えばウォウブルクロックＷＣＫの位相が進むと（図５２（Ｈ））、その分位相比較結果ＳＣＯＭにおいては、平均値が低下し（図５２（Ｉ））、発振周波数が下がるように制御される。これによりＰＬＬ回路は、正しい位相情報を有してなるウォウブル信号ＷＢの立ち上がりを基準にして、各種クロックを生成する。
【０２８８】
ところでこのようにして生成される２値化信号Ｓ２においては、論理レベルが立ち上がった後、再び立ち上がるまでの期間Ｔの間、論理レベルが立ち上がっている期間と、論理レベルが立ち下がっている期間との差が、この期間Ｔの間における立ち下がりエッジのタイミングで変化することになる。すなわちこの差分が、ウォウブル信号ＷＢが０クロスして立ち下がるタイミングの位相情報を有していることになる。
【０２８９】
この関係を有効に利用してウォウブル信号処理回路７３は、ウォウブルデータＡＤＩＰを再生する。すなわち図５３に示すように、カウンタ（ＣＮＴ）１８９は、２値化信号Ｓ２の立ち上がりエッジを基準にしてカウント値をクリアし、２値化信号Ｓ２の論理レベルが立ち上がっている期間の間、書き込み読み出しクロックＲ／Ｗ  ＣＫをアップカウントし、これとは逆に２値化信号Ｓ２の論理レベルが立ち下がっている期間の間、書き込み読み出しクロックＲ／Ｗ  ＣＫをダウンカウントする（図５３（Ａ）〜（Ｆ））。これによりカウンタ１８９は、ウォウブルデータＡＤＩＰの半周期を単位にして、ウォウブルクロックＷＣＫに対するウォウブル信号ＷＢの進み位相及び遅れ位相をカウント値ＣＮＴにより検出する。
【０２９０】
フリップフロップ（ＦＦ）１９０は、ウォウブルデータＡＤＩＰの半周期分だけこのカウント値ＣＮＴを遅延させる。減算回路１９１は、フリップフロップ１９０の出力データよりカウンタ１８９の出力データを減算する。これにより減算回路９１は、ウォウブルデータＡＤＩＰのビット境界、ビット中心をそれぞれ基準にして、前後でウォウブル信号ＷＢが０クロスするタイミングの変化を検出し、このタイミングがウォウブルクロックＷＣＫに対して進むように変化する場合は、カウント値ＣＮＴの２倍で、負の値Ｌ２の減算結果を出力する。またこれとは逆に、このタイミングがウォウブルクロックＷＣＫに対して遅れるように変化する場合は、カウント値ＣＮＴの２倍で、かつ正の値Ｈ２の減算結果を出力し、位相が変化しない場合は、値０の減算結果を出力する（図５３（Ｇ））。
【０２９１】
かくするにつき、このようにビット境界、ビット中心をそれぞれ基準にして、前後でウォウブル信号ＷＢの０クロスするタイミングが変化しない場合、位相変調の変調規則より、この前後の間がビット境界と判断することができる。またこのビット境界より、前後で減算値が正及び負の場合、それぞれウォウブルデータＡＤＩＰにおいては、論理１及び０と判断することができる。因みに、このビット境界より１つ間を挟んだ減算値は、何ら意味を持たない数値になる。この実施の形態においては、１アドレスデータブロックで必ず１回はビット反転するように設定したことにより、所定期間の間で、確実にビット境界を検出することができる。
【０２９２】
この検出原理に従って、デコーダ１９２は、減算回路１９１の出力データΔφよりビット境界を検出する。さらにこの検出したビット境界を基準にして、１周期毎に減算値Δφを判定することによりウォウブルデータＡＤＩＰを復号して出力する。（図５３（Ｇ）及び（Ｈ））。
【０２９３】
この第３の実施の形態に係る構成によれば、位相変調によりウォウブル信号を蛇行させるようにしても、第１の実施の形態と同様の効果を得ることができる。さらにこのときウォウブルデータＡＤＩＰの全てのビット中心及びビット境界に対応するタイミングｔｓ及びｔｃで０クロスするように、かつウォウブルデータＡＤＩＰの１ビット内で平均化すれば、位相誤差が０になるようにウォウブル信号を生成することができ、これにより平均的に周波数変動、位相変動の少ない、精度の高いクロックを生成することができ、その分高密度にユーザーデータを記録する際に、精度良くユーザーデータを記録して、情報記録面を有効に利用することができる。
【０２９４】
（４）他の実施の形態
なお上述の実施の形態においては、ランドグルーブ記録する場合について述べたが、本発明はこれに限らず、ランド記録、グルーブ記録による場合にも広く適用することができる。
【０２９５】
また上述の実施の形態においては、１のグルーブをらせん状に形成する場合について述べたが、本発明はこれに限らず、ランドとグルーブとを交互に切り換えて１のトラックをらせん状に形成する場合等にも広く適用することができる。
【０２９６】
さらに上述の実施の形態においては、ウォウブル信号によりグルーブ全体を蛇行させる場合について述べたが、本発明はこれに限らず、グルーブの片側エッジだけ蛇行させる場合、さらには両エッジを異なるウォウブル信号により蛇行させる場合にも広く適用することができる。
【０２９７】
また上述の実施の形態においては、１台の光ディスク装置において、光磁気ディスク、相変化型の光ディスク、追記型の光ディスクをアクセスする場合について述べたが、本発明はこれに限らず、何れか１種類の光ディスクのみをアクセス可能に構成してもよく、またこれとは逆に、これらの光ディスクに加えて、ＤＶＤ、コンパクトディスク等をアクセス可能に構成してもよい。
【０２９８】
さらに上述の実施の形態においては、ランド／グルーブ記録においてトラックピッチが０．５〔μｍ〕になるように、グルーブを形成する場合について述べたが、本発明はこれに限らず、狭トラックピッチによりグルーブを形成する場合に広く適用することができる。すなわちトラックピッチ及び線記録密度の設定により、また記録に供するデータの冗長度等により、トラックピッチを０．６〔μｍ〕以下に設定して、８〔ＧＢ〕の容量を確保することができる。
【０２９９】
また上述の実施の形態においては、光透過層の厚さを０．１〔ｍｍ〕に設定する場合について述べたが、本発明はこれに限らず、光透過層の厚さは１７７〔μｍ〕以下に設定してレーザービーム照射側より変調磁界を印加して、効率良く熱磁気記録することができ、これにより容量８〔ＧＢ〕を確保することができる。因みに光透過層の厚さは、情報記録面を保護するうえで、１０〔μｍ〕は確保することが必要である。
【０３００】
また上述の実施の形態においては、ユーザーデータを線記録密度０．２１〔μｍ／ｂｉｔ〕により記録する場合について述べたが、本発明はこれに限らず、線記録密度０．２３〔μｍ／ｂｉｔ〕により記録する場合に適用して、上述の実施の形態と同様の容量を確保することができる。なおこれをビット長、マーク長に換算すると、最短ビット長、最短マーク長０．３〔μｍ〕が許容可能な範囲である。因みに本発明は、８−１６変換等の変調方式も広く適用することができ、この８−１６変調によれば、最大ランレングス３Ｔ、最小ランレングス１Ｔになり、最短ピット長、最短マーク長は、３／２ビットとなる。
【０３０１】
また上述の実施の形態においては、波長６５０〔ｎｍ〕のレーザー光を開口数０．７８の光学系により照射してビデオ信号等を記録再生する場合について述べたが、本発明はこれに限らず、高開口数の光学系によりビデオ信号等を高密度に記録する場合に広く適用することができる。なお光透過層の厚さ、実現可能なワーキングディスタンス等を考慮すると、開口数０．７以上、ワーキングディスタンス５６０〔μｍ〕以下、レーザービームの波長が６８０〔ｎｍ〕以下の場合、に、上述の実施の形態と同様の容量を確保することができる。
【０３０２】
また上述の実施の形態においては、記録可能な光ディスクに本発明を適用する場合について述べたが、本発明はこれに限らず、再生専用の光ディスクにも適用することができる。
【０３０３】
【発明の効果】
以上の構成によれば、ワーキングディスタンス約５６０〔μｍ〕、開口数０．７以上の光学系により、厚さ１０〜１７７〔μｍ〕の光透過層を介して波長６８０〔ｎｍ〕以下のレーザービームを照射して光ディスクをアクセスするにつき、ほぼ同一の大きさの光ディスクの光学系とほぼ同一のビーム径により光学系にレーザービームを入射して光ディスクに照射することにより、光ディスク装置に特有の機能を有効に活用できる程度で、かつビデオテープレコーダと同等の使い勝手を得ることができる程度の記録容量を確保することができる。
【図面の簡単な説明】
【図１】本発明の第１の実施の形態に係る光ディスク装置を示すブロック図である。
【図２】図１の光ディスク装置に適用される光ディスクのマスタリング装置を示すブロ
ック図である。
【図３】図２のマスタリング装置によるゾーニングの説明に供する平面図である。
【図４】図３のゾーニングによるセクタの構成を示す略線図である。
【図５】図３のマスタリング装置により生成される光ディスクを示す斜視図である。
【図６】図１の光ディスク装置の駆動系を主に示すブロック図である。
【図７】図１の光ディスク装置の光ヘッドを示す略線図である。
【図８】図７の光ヘッドの対物レンズの周辺構成を示す断面図である。
【図９】ワーキングディスタンスとビーム径との関係を示す特性曲線図である。
【図１０】図６の光ディスク装置による光ディスクの駆動の説明に供する特性曲線図であ
る。
【図１１】図６の光ディスク装置におけるシステム制御回路の処理手順を示すフローチャートである。
【図１２】図１の光ディスク装置におけるセクタ構造の説明に供する図表である。
【図１３】図１の光ディスク装置におけるＥＣＣブロックを示す図表である。
【図１４】図１の光ディスク装置におけるフレーム構造の説明に供する図表である。
【図１５】図１の光ディスク装置における２チャンネルのビデオ信号及びオーディオ信号の流れを示す略線図である。
【図１６】図１の光ディスク装置の通常の記録再生における動作の説明に供する略線図である。
【図１７】図１の光ディスク装置の追っかけ再生における動作の説明に供する略線図である。
【図１８】図１の光ディスク装置において２チャンネルのビデオ信号及びオーディオ信号を処理する場合の光ディスクの駆動の説明に供する特性曲線図である。
【図１９】図１の光ディスク装置のマルチチャンネルモードにおける動作の説明に供する略線図である。
【図２０】図１の光ディスク装置のアフレコにおける動作の説明に供する略線図である。
【図２１】アフレコ時における外部機器との関係を示すブロック図である。
【図２２】図１の光ディスク装置のポインタ再生における動作の説明に供する略線図である。
【図２３】各ゾーンにおける光ディスクのアクセスの説明に供する平面図である。
【図２４】塵とバーストエラーとの関係を示す特性曲線図である。
【図２５】図１の光ディスク装置に適用される光ディスクのカートリッジを、シャッターを省略して示す分解斜視図である。
【図２６】図２５のカートリッジについて、開口とシート状部材の関係を示す平面図である。
【図２７】図２５のカートリッジについて、シャッター等との関係を示す斜視図である。
【図２８】図２５のカートリッジについて、シャッター、開口及び緩衝部材の関係を示す平面図である。
【図２９】図２５のカートリッジについて、一の可動制限機構の説明に供する平面図である。
【図３０】図２９との対比により、一のボタン７０Ａが押圧された状態を示す平面図である。
【図３１】図３０との対比により、他のボタン７１Ａが押圧された状態を示す平面図である。
【図３２】図３１との対比により、シャッターが可動された状態を示す平面図である。
【図３３】図２５のカートリッジについて、他の可動制限機構の説明に供する平面図である。
【図３４】図３３との対比により、一のボタン７０Ｂが押圧された状態を示す平面図である。
【図３５】図３４との対比により、シャッターが可動された状態を示す平面図である。
【図３６】光ディスク装置のローディング機構を示す斜視図である。
【図３７】光ディスク装置における光ディスクの識別の説明に供するブロック図である。
【図３８】本発明の第２の実施の形態に係るマスタリング装置を示すブロック図である。
【図３９】図３８のマスタリング装置によるウォウブルデータの説明に供する図表である。
【図４０】図３８のマスタリング装置によるウォウブル信号生成の説明に供する信号波形図である。
【図４１】図３８のマスタリング装置により生成されるウォウブル信号を示す信号波形図である。
【図４２】図３８のマスタリング装置を適用して製造された光ディスクをアクセスする光ディスク装置を示すブロック図である。
【図４３】図４２の光ディスク装置によるクロック生成の説明に供する信号波形図である。
【図４４】図４２Ｋの光ディスク装置による光ディスクの駆動の説明に供する平面図である。
【図４５】図４２Ｋの光ディスク装置におけるフレーム構造の説明に供する図表である。
【図４６】図４２Ｋの光ディスク装置におけるクラスタの説明に供する図表である。
【図４７】本発明の第３の実施の形態に係るマスタリング装置を示すブロック図である。
【図４８】図４７のマスタリング装置によるウォウブルデータの説明に供する図表である。
【図４９】図４７のマスタリング装置によるウォウブル信号の処理の説明に供する信号波形図である。
【図５０】図４７のマスタリング装置を適用して製造された光ディスクをアクセスする光ディスク装置を示すブロック図である。
【図５１】図５０の光ディスク装置のウォウブル信号処理回路を示すブロック図である。
【図５２】図５１のウォウブル信号処理回路の動作の説明に供する信号波形図である。
【図５３】図５２の続きを示す信号波形図である。
【符号の説明】
１、１０１、１６１……マスタリング装置、２……ディスク原盤、５……駆動回路、６……アドレス信号生成回路、７、１０７、１６７……ウォウブル信号発生回路、１０、１１０、１７０……光ディスク装置、１１……光ヘッド、１２、１１２、１７２……光ディスク、１７……対物レンズ、３５、１３５……ＰＬＬ回路
【図１】
0003580362.tif 000006
【図２】
0003580362.tif 000007
【図３】
0003580362.tif 000008
【図４】
0003580362.tif 000009
【図５】
0003580362.tif 000010
【図６】
0003580362.tif 000011
【図７】
0003580362.tif 000012
【図８】
0003580362.tif 000013
【図９】
0003580362.tif 000014
【図１０】
0003580362.tif 000015
【図１１】
0003580362.tif 000016
【図１２】
0003580362.tif 000017
【図１３】
0003580362.tif 000018
【図１４】
0003580362.tif 000019
【図１５】
0003580362.tif 000020
【図１６】
0003580362.tif 000021
【図１７】
0003580362.tif 000022
【図１８】
0003580362.tif 000023
【図１９】
0003580362.tif 000024
【図２０】
0003580362.tif 000025
【図２１】
0003580362.tif 000026
【図２２】
0003580362.tif 000027
【図２３】
0003580362.tif 000028
【図２４】
0003580362.tif 000029
【図２５】
0003580362.tif 000030
【図２６】
0003580362.tif 000031
【図２７】
0003580362.tif 000032
【図２８】
0003580362.tif 000033
【図２９】
0003580362.tif 000034
【図３０】
0003580362.tif 000035
【図３１】
0003580362.tif 000036
【図３２】
0003580362.tif 000037
【図３３】
0003580362.tif 000038
【図３４】
0003580362.tif 000039
【図３５】
0003580362.tif 000040
【図３６】
0003580362.tif 000041
【図３７】
0003580362.tif 000042
【図３８】
0003580362.tif 000043
【図３９】
0003580362.tif 000044
【図４０】
0003580362.tif 000045
【図４１】
0003580362.tif 000046
【図４２】
0003580362.tif 000047
【図４３】
0003580362.tif 000048
【図４４】
0003580362.tif 000049
【図４５】
0003580362.tif 000050
【図４６】
0003580362.tif 000051
【図４７】
0003580362.tif 000052
【図４８】
0003580362.tif 000053
【図４９】
0003580362.tif 000054
【図５０】
0003580362.tif 000055
【図５１】
0003580362.tif 000056
【図５２】
0003580362.tif 000057
【図５３】
0003580362.tif 000058